(57)【特許請求の範囲】
【請求項１】
人体の所望部位の治療又は美容・健康の維持増進を図るために用いられる音叉型治療器・美容器において、
前記音叉型治療器・美容器は、治療を受ける者又は美容・健康の維持増進を図る者が日本民族であり、当該日本民族に固有の音階として日本十二律音階を用い、日本十二律音階の壱越調（２９２．７Ｈｚ）、断金調（３０５．６Ｈｚ）、平調（３２６．２Ｈｚ）、勝絶調（３４３．１Ｈｚ）、下無調（３６５．７Ｈｚ）、双調（３９１．５Ｈｚ）、鳬鐘調（４１０．１Ｈｚ）、黄鐘調（４３７．０Ｈｚ）、鸞鏡調（４６０．０Ｈｚ）、盤渉調（４９１．５Ｈｚ）、神仙調（５１７．３Ｈｚ）、上無調（５４９．５Ｈｚ）のいずれか１つの音程に対応した振動数を基本振動数とし、前記基本振動数を含み当該基本振動数と共鳴する１０００Ｈｚ台の周波数を含む複数の振動数であって、且つ、人体の部位毎に異なる固有振動数に対応した振動数で振動する複数の音叉からなることを特徴とする音叉型治療器・美容器。
【請求項２】
前記音叉の振動数が盤渉調（４９１．５Ｈｚ）に対応した振動数を基本振動数とし、３０．７Ｈｚ、６１．４Ｈｚ、１２２．９Ｈｚ、２４５．８Ｈｚ、４９１．５Ｈｚ、９８３Ｈｚ、１９６６Ｈｚ、３９３２Ｈｚ、７８６４Ｈｚの組み合わせからなることを特徴とする請求項１に記載の音叉型治療器・美容器。
【請求項３】
前記音叉の振動数が双調（３９１．５Ｈｚ）に対応した振動数を基本振動数とし、２４．５Ｈｚ、４８．９Ｈｚ、９７．９Ｈｚ、１９５．８Ｈｚ、３９１．５Ｈｚ、７８３Ｈｚ、１５６６Ｈｚ、３１３２Ｈｚ、６２６４Ｈｚの組み合わせからなることを特徴とする請求項１に記載の音叉型治療器・美容器。
【請求項４】
前記音叉の振動数が黄鐘調（４３７．０Ｈｚ）に対応した振動数を基本振動数とし、２７．３Ｈｚ、５４．６Ｈｚ、１０９．３Ｈｚ、２１８．５Ｈｚ、４３７Ｈｚ、８７４Ｈｚ、１７４８Ｈｚ、３４９６Ｈｚ、６９９２Ｈｚの組み合わせからなることを特徴とする請求項１に記載の音叉型治療器・美容器。
【請求項５】
前記音叉の振動数が壱越調（２９２．７Ｈｚ）に対応した振動数を基本振動数とし、３６．６Ｈｚ、７３．２Ｈｚ、１４６．４Ｈｚ、２９２．７Ｈｚ、５８５．４Ｈｚ、１１７０．８Ｈｚ、２３４１．６Ｈｚ、４６８３．２Ｈｚの組み合わせからなることを特徴とする請求項１に記載の音叉型治療器・美容器。
【請求項６】
前記音叉の振動数が平調（３２６．２Ｈｚ）に対応した振動数を基本振動数とし、４０．８Ｈｚ、８１．６Ｈｚ、１６３．１Ｈｚ、３２６．２Ｈｚ、６５２．４Ｈｚ、１３０４．８Ｈｚ、２６０９．６Ｈｚ、５２１９．２Ｈｚの組み合わせからなることを特徴とする請求項１に記載の音叉型治療器・美容器。
【請求項７】
前記音叉は、治療を受ける者又は美容・健康の維持増進を図る者が属する民族に固有の音階のうち、いずれか１つの音程に対応した振動数を基本振動数とし、前記基本振動数と当該基本振動数の倍数又は約数の少なくとも１つの振動数を含む複数の振動数に対応した数だけ設けられていることを特徴とする請求項１乃至６のいずれかに記載の音叉型治療器・美容器。
【請求項８】
前記音叉は、互いに略平行に配置された２本の振動腕と、前記２本の振動腕の基端部が一体的に連結されて略Ｕ字形状に形成された振動部と、前記振動部の基端部の中央から前記振動腕と反対方向に突出するように設けられた把持部とを有し、前記把持部の先端が先細り状及び／又は先端面が曲面に形成されていることを特徴とする請求項１乃至７のいずれかに記載の音叉型治療器・美容器。
【発明の詳細な説明】
【技術分野】
【０００１】
この発明は、音叉型治療器・美容器に関するものである。
【背景技術】
【０００２】
従来、音叉は、音楽用や医療用、あるいは教育用、校正用、マッサージ用など様々な分野で広く使用されている。
【０００３】
この音叉を利用した音叉型治療器としては、例えば、特開２００８−１１９６６号公報等に開示されたものが既に提案されている。
【０００４】
この特開２００８−１１９６６号公報に係る音叉型治療器は、ほぼ並行に配向された２本の棒状振動部と、これらの棒状振動部の基部と一体に構成されるＵ字基部から成るＵ字状の振動子と、前記棒状振動部と同じ方向に上記Ｕ字基部から延設される伝動杆と、該伝動杆の先端部に取り付けられた押当部材とから構成され、上記棒状振動部の横断面形状が、円形あるいは六角形以上の多角形に形成されているものである。
【先行技術文献】
【特許文献】
【０００５】
【特許文献１】特開２００８−１１９６６号公報
【発明の開示】
【発明が解決しようとする課題】
【０００６】
しかしながら、上記従来の音叉治療器の場合には、次のような問題点を有している。すなわち、上記特開２００８−１１９６６号公報に係る音叉型治療器は、ほぼ並行に配向された２本の棒状振動部と、これらの棒状振動部の基部と一体に構成されるＵ字基部から成るＵ字状の振動子とを備え、これら２本の棒状振動部とＵ字状の振動子とを所定の周波数（例えば、５０〜２００Ｈｚ）で振動させ、Ｕ字状の振動子から延設された伝動杆を介して先端部に取り付けられた押当部材へと伝達し、押当部材を患部に押し当てることにより、うっ滞やうっ血を解消したり、筋肉を解して、改善効果を発揮するものである。
【０００７】
しかし、上記特開２００８−１１９６６号公報に係る音叉型治療器は、当該音叉型治療器の振動数について何ら考慮されておらず、所定の周波数（例えば、５０〜２００Ｈｚ）で振動させるのみであるため、治療を受ける患者に適した振動数、あるいは治療を受ける患者の患部に適した振動数を得ることができず、患者自身が持っている治癒力を引き出したり、患者自身の体を本来の状態に調整して戻すことによる治療効果を得ることができないという技術的課題を有していた。
【０００８】
そこで、この発明は、上記従来技術の問題点を解決するためになされたものであり、その目的とするところは、日本民族に適した振動を発生させる音叉を用いることにより、日本人が生来的に有している免疫力などの治癒力を効果的に引き出したり、患者自身の呼吸運動、並びに骨格などを含む人体を本来あるべき状態に戻すことにより、治療効果を高めることが可能な音叉型治療器・美容器を提供することにある。
【課題を解決するための手段】
【００１０】
請求項１に記載された発明は、人体の所望部位の治療又は美容・健康の維持増進を図るために用いられる音叉型治療器・美容器において、
前記音叉型治療器・美容器は、治療を受ける者又は美容・健康の維持増進を図る者が日本民族であり、当該日本民族に固有の音階として日本十二律音階を用い、日本十二律音階の壱越調（２９２．７Ｈｚ）、断金調（３０５．６Ｈｚ）、平調（３２６．２Ｈｚ）、勝絶調（３４３．１Ｈｚ）、下無調（３６５．７Ｈｚ）、双調（３９１．５Ｈｚ）、鳬鐘調（４１０．１Ｈｚ）、黄鐘調（４３７．０Ｈｚ）、鸞鏡調（４６０．０Ｈｚ）、盤渉調（４９１．５Ｈｚ）、神仙調（５１７．３Ｈｚ）、上無調（５４９．５Ｈｚ）のいずれか１つの音程に対応した振動数を基本振動数とし、前記基本振動数を含み当該基本振動数と共鳴する１０００Ｈｚ台の周波数を含む複数の振動数であって、且つ、人体の部位毎に異なる固有振動数に対応した振動数で振動する複数の音叉からなることを特徴とする音叉型治療器・美容器である。
【００１２】
請求項２に記載された発明は、前記音叉の振動数が盤渉調（４９１．５Ｈｚ）に対応した振動数を基本振動数とし、３０．７Ｈｚ、６１．４Ｈｚ、１２２．９Ｈｚ、２４５．８Ｈｚ、４９１．５Ｈｚ、９８３Ｈｚ、１９６６Ｈｚ、３９３２Ｈｚ、７８６４Ｈｚの組み合わせからなることを特徴とする請求項１に記載の音叉型治療器・美容器である。なお、上記音叉の振動数としては、３０．７Ｈｚ、６１．４Ｈｚ、１２２．９Ｈｚ、２４５．８Ｈｚ、４９１．５Ｈｚ、７３１．４Ｈｚ、９８３Ｈｚ、１９６６Ｈｚ、２９２５．６Ｈｚ、３９３２Ｈｚ、５８５１．２Ｈｚ、７８６４Ｈｚの組み合わせからなるものを用いても良い。
【００１３】
請求項３に記載された発明は、前記音叉の振動数が双調（３９１．５Ｈｚ）に対応した振動数を基本振動数とし、２４．５Ｈｚ、４８．９Ｈｚ、９７．９Ｈｚ、１９５．８Ｈｚ、３９１．５Ｈｚ、７８３Ｈｚ、１５６６Ｈｚ、３１３２Ｈｚ、６２６４Ｈｚの組み合わせからなることを特徴とする請求項１に記載の音叉型治療器・美容器である。なお、上記音叉の振動数としては、２４．５Ｈｚ、４８．９Ｈｚ、９７．９Ｈｚ、１９５．８Ｈｚ、３９１．５Ｈｚ、５２８Ｈｚ、７８３Ｈｚ、１０５６Ｈｚ、１５６６Ｈｚ、２１１２Ｈｚ、３１３２Ｈｚ、６２６４Ｈｚの組み合わせからなるものを用いても良い。
【００１４】
請求項４に記載された発明は、前記音叉の振動数が黄鐘調（４３７．０Ｈｚ）に対応した振動数を基本振動数とし、２７．３Ｈｚ、５４．６Ｈｚ、１０９．３Ｈｚ、２１８．５Ｈｚ、４３７Ｈｚ、８７４Ｈｚ、１７４８Ｈｚ、３４９６Ｈｚ、６９９２Ｈｚの組み合わせからなることを特徴とする請求項１に記載の音叉型治療器・美容器である。なお、上記音叉の振動数としては、２７．３Ｈｚ、５４．６Ｈｚ、１０９．３Ｈｚ、２１８．５Ｈｚ、４３７Ｈｚ、６６０Ｈｚ、８７４Ｈｚ、１３２０Ｈｚ、１７４８Ｈｚ、２６４０Ｈｚ、３４９６Ｈｚ、６９９２Ｈｚの組合せからなるものを用いても良い。
【００１５】
請求項５に記載された発明は、前記音叉の振動数が壱越調（２９２．７Ｈｚ）に対応した振動数を基本振動数とし、３６．６Ｈｚ、７３．２Ｈｚ、１４６．４Ｈｚ、２９２．７Ｈｚ、５８５．４Ｈｚ、１１７０．８Ｈｚ、２３４１．６Ｈｚ、４６８３．２Ｈｚの組み合わせからなることを特徴とする請求項１に記載の音叉型治療器・美容器である。なお、上記音叉の振動数としては、３６．６Ｈｚ、７３．２Ｈｚ、１４６．４Ｈｚ、２９２．７Ｈｚ、５８５．４Ｈｚ、１０００Ｈｚ、１１７０．８Ｈｚ、２０００Ｈｚ、２３４１．６Ｈｚ、３０００Ｈｚ、４６８３．２Ｈｚ、６０００Ｈｚの組み合わせからなるものを用いても良い。
【００１６】
請求項６に記載された発明は、前記音叉の振動数が平調（３２６．２Ｈｚ）に対応した振動数を基本振動数とし、４０．８Ｈｚ、８１．６Ｈｚ、１６３．１Ｈｚ、３２６．２Ｈｚ、６５２．４Ｈｚ、１３０４．８Ｈｚ、２６０９．６Ｈｚ、５２１９．２Ｈｚの組み合わせからなることを特徴とする請求項１に記載の音叉型治療器・美容器である。なお、上記音叉の振動数としては、４０．８Ｈｚ、８１．６Ｈｚ、１６３．１Ｈｚ、３２６．２Ｈｚ、５１２Ｈｚ、６５２．４Ｈｚ、１０２４Ｈｚ、１３０４．８Ｈｚ、２０４８Ｈｚ、２６０９．６Ｈｚ、４０９６Ｈｚ、５２１９．２Ｈｚの組み合わせからなるものを用いても良い。
【００１７】
請求項７に記載された発明は、前記音叉は、治療を受ける者又は美容・健康の維持増進を図る者が属する民族に固有の音階のうち、いずれか１つの音程に対応した振動数を基本振動数とし、前記基本振動数と当該基本振動数の倍数又は約数の少なくとも１つの振動数を含む複数の振動数に対応した数だけ設けられていることを特徴とする請求項１乃至６のいずれかに記載の音叉型治療器・美容器である。
【００１９】
請求項８に記載された発明は、前記音叉は、互いに略平行に配置された２本の振動腕と、前記２本の振動腕の基端部が一体的に連結されて略Ｕ字形状に形成された振動部と、前記振動部の基端部の中央から前記振動腕と反対方向に突出するように設けられた把持部とを有し、前記把持部の先端が先細り状及び／又は先端面が曲面に形成されていることを特徴とする請求項１乃至７のいずれかに記載の音叉型治療器・美容器である。
【００２１】
音叉は、構造が簡単であって、電源を必要とせず、持ち運びが自由であり、しかも予め定められた正確な周波数で、比較的に長い時間にわたって振動を供給し続けることができる器具である。
【００２２】
音叉が発生する音は、例えば、粗密波として空気中を伝播し、我々の耳によって特定の高さ（振動数）を持った音として認識される。また、音叉が発生する振動は、振動した音叉を人体に直接又は間接的に接触させるか、あるいは人体から離間させた状態で音叉を振動させることにより、物理的な振動として人体の所望の部位に伝搬する。
【００２３】
本発明者は、あん摩マッサージ指圧師、鍼師、灸師の資格を有し、スポーツトレーナーとしても長年にわたりプロゴルファーや演劇の舞台、ミュージカル俳優などを含む様々な患者の治療に携わる傍ら、日常生活を通して音というものが人間に与える様々な影響についての個人的な経験などを経て、音が有する治療的な効果について関心を持って研究を進めてきた。
【００２４】
音が人体に与える影響については、種々研究されており、その一つとして「モーツァルト効果」と呼ばれるものがある。「モーツァルト効果」とは、１９９０年代に行われた心理学研究に端を発し、モーツァルトに代表されるクラシック音楽を聴くと頭が良くなると主張される効果をいう。モーツァルトの音楽が心身に影響を及ぼすことは、１９９１年に出版されたフランスの耳鼻科医であるアルフレッド・トマティス博士の著書に記述されている（「モーツァルトを科学する: 心とからだをいやす偉大な音楽の秘密に迫る」, 日本実業出版社, 1994）。
【００２５】
モーツァルトの楽曲は、中周波域（１０００〜４０００Ｈｚ）の音が途切れることなく連続していることや、他の作曲家の楽曲に比べて高周波域の音（６０００Ｈｚ以上）が多く含まれており、特に８０００Ｈｚ以上の高周波音によって脳が活性化されると言われている。
【００２６】
また、音の周波数の高低が人体に及ぼす影響の違いとしては、低い音を聞くと足腰が動きやすくなり、高い音を聴くと頭の働きが速くなると言われ、音の周波数の高低によって人体に影響を与える部位、すなわち音の周波数の高低によって人体の共振（共鳴）する部位は異なると考えられる。また、人体が音に共振するということは、人間は音を単に耳で聞いているだけではなく、皮膚や骨伝導など、音を聞く人間の本能に直接作用することで自律神経などにまで影響を与えていることが判っている。
【００２７】
トマティス博士の理論によれば、音の振動数の高低によって人体の共振する部位が異なり、尾骨から仙骨が２５０Ｈｚ、腰椎が５００Ｈｚ、胸椎が７５０〜１５００Ｈｚ、頸椎が２０００〜３０００Ｈｚ、後頭骨が４０００Ｈｚ、延髄が４０００〜６０００Ｈｚ、頭頂骨が８０００Ｈｚの振動数に共振すると言われている。
【００２８】
また、音が脳に及ぼす影響についても研究されてきており、音の一種である言語は、言葉として意味を有して我々の脳に直接影響するのは勿論のこと、音楽や自然界に存在する様々な音も感動や癒し効果など種々の影響を与える。
【００２９】
ところで、人が耳で聞くことができる音の振動数の範囲は、約２０Ｈｚ〜２０ＫＨｚである。音の中には、人の耳に聞こえない周波数の低い超低周波音や周波数の高い超音波なども存在する。再生可能エネルギーの一つとして注目されている風力発電は、低周波音などの騒音の影響で睡眠障害、頭痛、めまい、うつ病などの健康被害を訴える近隣の住民が増えており、音は一般的な騒音以外に、人体に直接的に悪影響を及ぼす場合もある。
【００３０】
また、本発明者は、あん摩マッサージ指圧師、鍼師、灸師として長年にわたり様々な症状の患者を治療してきており、鍼治療と低周波治療器や高周波治療器などを併用し、人体に刺した鍼に低周波治療器により低周波電流を流した治療なども行っている。
【００３１】
低周波治療器は、人体に電流を流すことによって筋肉を収縮させ、マッサージ効果や痛みの緩和、血行促進などの効果を得るために用いられる。低周波治療器で使用される周波数としては、１Ｈｚあたりが血行促進に効果があり、５０Ｈｚ以上が痛みの緩和に効果があり、１００Ｈｚ〜１２００Ｈｚが特に痛みを和らげる効果が高い。しかし、低周波治療器は、小型のものも開発されているが、電源を必要とし、人体に電流を流すことによって筋肉を収縮させ、マッサージ効果等を得るものであり、人体の筋肉や骨格を患者に適した振動数で直接的に振動させることはできない。
【００３２】
また、高周波治療器は、超短波あるいはマイクロ波を人体に照射し、人体の内部を自己発熱させる治療機器であり、鎮痛、血行促進などに効果がある。しかし、手術後の体内にボルト等の金属（人工関節、骨頭など）片が埋没されている場合は、その部位へのマイクロ波の照射は禁忌であり、制約がある。また、高周波治療器も、電源を必要とし、人体の筋肉や骨格を患者に適した振動数で直接的に振動させるものではない。
【００３３】
このように、音は良い影響も悪い影響も含めて人体に様々な影響を与えることが判っている。本発明者は、「モーツァルト効果」に代表されるように、音が人体に与える影響について考察し、且つ、低周波治療器による低周波の振動として電気的な刺激が、マッサージ効果や痛みの緩和、血行促進などの効果を生じるとの治験に基づいて、人体に与える振動として電気的な刺激に代わり、人体の筋肉や骨格を患者に適した振動数で直接的に振動させるか、又は特定の振動数の振動を人体に伝搬させることによって従来の単なるマッサージ効果、あるいは音による単なる癒し効果などとは異質の治療効果が得られることに想い至った。
【００３４】
本発明者は、以上のような知見や考察に基づいて、あん摩マッサージ指圧師、鍼師、灸師としての治療と同様に、音叉を用いて人体を調整あるいは調律（チューニング）する、即ち人間が生来的に有している呼吸運動、免疫力などの治癒力を効果的に引き出したり、患者自身の骨格を特定の振動数で振動させることで、患者自身の骨格などを含む人体を本来あるべき状態に戻すことによって、体の歪み、肩凝りや血行不良、自立神経失調症、不眠症、ストレスなどの様々な症状を改善する治療効果を得ることができることを見い出した。
【００３５】
また、声楽などの分野においては、人間の体が楽器にたとえられることがあり、人体が音に共鳴するように、治療を受ける患者の体も、日本人であれば、日本人の体型があり、欧米人であれば、欧米人の体型があるように、患者の治療に使用する音としても、例えば、患者が日本人であれば、日本人の体や脳に適した音があり、患者が欧米人であれば、欧米人の体や脳に適した音があり、患者がアジア人であれば、アジア人の体や脳に適した音があることを見い出した。
【００３６】
日本人であれば、生まれる前の母親の胎内で聞いた様々な音や、子供の頃に歌ったり聞いたりした童謡や民謡、あるいは雅楽など、日本古来の音や音楽、あるいは音階といったものがあり、日本人であれば、その体や脳に潜在的あるいは遺伝的、又は後天的に備わった音や音階があり、欧米人であれば、その欧米人の体や脳に潜在的あるいは遺伝的、又は後天的に備わった音や音階がある。
【００３７】
そのため、治療を受ける患者の人体に直接又は間接的に接触させた状態で音叉を振動させるか、あるいは人体から離間させた状態で音叉を振動させ、前記音叉による振動を人体に伝播させることで、人体の所望箇所を治療するにあたり、音叉としては、治療を受ける患者が属する民族に固有の音階のうち少なくとも１つの音程に対応した振動数で振動する音叉を用いることで高い治療効果を得ることができることを見い出した。
【００３８】
その際、治療を受ける患者が属する民族に特有の音階であっても、患者の治療する箇所に応じて適した振動数を用いることがより一層望ましい。
【００３９】
また、この発明は、患者の治療以外にも、美容・健康の維持増進を図る者にとっても効果を発揮するものである。
【発明の効果】
【００４０】
この発明によれば、日本民族に適した振動を発生させる音叉を用いることにより、日本人が生来的に有している呼吸運動、免疫力などの治癒力を効果的に引き出したり、患者自身の骨格などを含む人体を本来あるべき状態に戻すことにより、治療効果を高めることが可能な音叉型治療器・美容器を提供することができる。
【図面の簡単な説明】
【００４１】
【図１】この発明の実施の形態１に係る治療方法に用いられる音叉型治療器・美容器としての音叉を示す斜視構成図である。
【図２】この発明の実施の形態１に係る治療方法に用いられる音叉型治療器・美容器としての音叉を示す斜視構成図である。
【図３】この発明の実施の形態１に係る治療方法に用いられる音叉型治療器・美容器としての音叉を示す斜視構成図である。
【図４】この発明の実施の形態１に係る治療方法に用いられる音叉型治療器・美容器としての音叉を示す斜視構成図である。
【図５】この発明の実施の形態１に係る治療方法に用いられる音叉型治療器・美容器としての音叉を示す構成図である。
【図６】この発明の実施の形態１に係る治療方法に用いられる音叉型治療器・美容器としての音叉を示す構成図である。
【図７】この発明の実施の形態１に係る治療方法に用いられる音叉型治療器・美容器としての音叉を示す構成図である。
【図８】この発明の実施の形態１に係る治療方法に用いられる音叉型治療器・美容器としての音叉を示す構成図である。
【図９】この発明の実施の形態１に係る治療方法に用いられる音叉型治療器・美容器としての音叉を示す構成図である。
【図１０】この発明の実施の形態１に係る治療方法に用いられる音叉型治療器・美容器としての音叉を示す構成図である。
【図１１】この発明の実施の形態１に係る治療方法に用いられる音叉型治療器・美容器としての音叉を示す構成図である。
【図１２】この発明の実施の形態１に係る治療方法に用いられる音叉型治療器・美容器としての音叉を示す構成図である。
【図１３】この発明の実施の形態１に係る治療方法に用いられる音叉型治療器・美容器としての音叉を示す構成図である。
【図１４】この発明の実施の形態１に係る治療方法に用いられる音叉型治療器・美容器としての音叉を示す構成図である。
【図１５】この発明の実施の形態１に係る治療方法に用いられる音叉型治療器・美容器としての音叉を示す構成図である。
【図１６】この発明の実施の形態１に係る治療方法に用いられる音叉型治療器・美容器としての音叉を示す構成図である。
【図１７】マーレットを示す斜視構成図である。
【図１８】この発明の実施の形態１に係る治療方法に用いられる音叉型治療器・美容器としての音叉の使用状態を示す説明図である。
【図１９】この発明の実施の形態１に係る治療方法に用いられる音叉型治療器・美容器としての音叉の使用状態を示す説明図である。
【図２０】この発明の実施の形態１に係る治療方法に用いられる音叉型治療器・美容器としての音叉の使用状態を示す説明図である。
【図２１】この発明の実施の形態１に係る治療方法に用いられる音叉型治療器・美容器としての音叉の使用状態を示す説明図である。
【図２２】トマティスの理論を示す説明図である。
【発明を実施するための形態】
【００４２】
以下に、この発明の実施の形態について図面を参照して説明する。
【００４３】
実施の形態１
図１乃至図３はこの発明の実施の形態１に係る治療・美容方法に用いられる音叉型治療器・美容器のそれぞれ異なった形態を示す構成図である。
【００４４】
上記音叉型治療器・美容器としての音叉１は、図１乃至図３に示すように、その基本的な構造は同じであるものの、振動数に応じてやや異なった形態を有している。図１に示す音叉１は、相対的に中間的な振動数で振動させるために用いられるものであり、図２に示す音叉１は、相対的に低い振動数で振動させるために用いられるものであり、図３に示す音叉１は、相対的に高い振動数で振動させるために用いられるものである。
【００４５】
音叉１の構造は、基本的にいずれも同じであり、図１乃至図３に示すように、互いに略平行に配置された断面矩形の角柱状に形成された２本の振動腕２ａ、２ｂを備えている。これら２本の振動腕２ａ、２ｂは、その基端部２ｃで一体的に連結されており、２本の振動腕２ａ、２ｂと基端部２ｃとで略Ｕ字形状の外観を呈するように形成された振動部２を構成している。また、略Ｕ次形状に形成された振動部２の下端部中央には、振動腕２ａ、２ｂと反対方向に突出するように下方に向けて延長された把持部３が一体的に形成されている。この把持部３は、音叉１を手で把持したり、音叉１を手で把持した状態で、当該把持部３の先端３ａを患者の治療箇所に接触させたりするためなどに用いられる。なお、把持部３の先端３ａは、円弧状や曲面形状に形成されている。
【００４６】
また、この実施の形態に係る音叉１は、全部で１２本の音叉１1〜１12で１組の音叉セットを構成している。これら１２本の音叉は、振動数の高低に応じて全体的な大きさや部分的な形状が異なっており、大別して、３つのグループに分けられる。第１のグループは、振動数が３０．７Ｈｚ、６１．４Ｈｚ、１２２．９Ｈｚの相対的に低い振動数で振動する第１〜第３の３本の音叉１1、１2 、１3からなる。また、第２のグループは、振動数が２４５．８Ｈｚ、４９１．５Ｈｚ、７３１．４Ｈｚ、９８３Ｈｚの相対的に中間の振動数で振動する第４〜第７の４本の音叉１4、１5 、１6、１7からなる。第３のグループは、振動数が１９６６Ｈｚ、２９２５．６Ｈｚ、３９３２Ｈｚ、５８５１．２Ｈｚ、７８６４Ｈｚの相対的に高い振動数で振動する第８〜第１２の５本の音叉１8 、１9、１10、１11、１12からなる。なお、音叉１のセットは、１２本の音叉に限定されるものではなく、これより少なくても多くても良く、又、音叉のセットではなく１本の音叉１を単独で使用しても勿論良い。なお、各音叉１には、その振動部２の基端部２ｃに何番目の音叉であるかを示す番号が付されている。
【００４７】
第１のグループの音叉１1、１2 、１3は、３０．７Ｈｚ、６１．４Ｈｚ、１２２．９Ｈｚと振動数が相対的に低いため、図５〜図７に示すように、振動する２本の振動腕２ａ、２ｂの断面形状における幅が細く且つ振動腕２ａ、２ｂの長さが長く、しかも振動腕２ａ、２ｂの重量を増加させるため振動腕２ａ、２ｂの先端に錘４が取り付けられている。錘４は、断面矩形の筒状に形成されており、振動腕２ａ、２ｂの先端にカシメやネジ止め、溶接等の手段によって取り付けられている。なお、図７及びその斜視図である図４に示す音叉１3は、第１のグループに属するが、振動数が１２２．９Ｈｚと第１のグループの音叉１の中では最も高く、振動腕２ａ、２ｂの先端に錘４が取り付けられていない。
【００４８】
第２のグループの音叉１は、２４５．８Ｈｚ、４９１．５Ｈｚ、７３１．４Ｈｚ、９８３Ｈｚと振動数が中間的な値であり、図８〜図１１に示すように、振動する２本の振動腕２ａ、２ｂの断面形状における幅が中程度で且つ振動腕２ａ、２ｂの長さも中程度であり、振動腕２ａ、２ｂの質量を大きくするため錘４は設けられていない。この第２のグループの音叉１4〜１7は、中間的な周波数であり、使用範囲が広く、しかも人体に直接接触させて使用することが多い。
【００４９】
そのため、第２のグループの音叉１4〜１7は、図８〜図１１に示すように、２本の振動腕２ａ、２ｂの基端部に続く把持部３の中間に、音叉１を用いて施術を行う者がペンを持つように把持可能とするため、中間部が細くなるように絞った絞り部５が設けられている。また、絞り部５の下端部５ａは、当該絞り部５を親指と人さし指で握り易いように円弧状に形成されている。さらに、上記把持部３には、絞り部５よりも先端側に先端に向けて先細り形状に形成された圧接部６が設けられている。この圧接部６は、音叉１の絞り部５を手で握って患者の人体のツボ等の所望の部位を押圧するのに適している。なお、圧接部６の先端３ａは、直径が２〜３ｍｍ程度の円形状の平面又は曲面に形成されている。
【００５０】
第３のグループの音叉１8〜１12は、１９６６Ｈｚ、２９２５．６Ｈｚ、３９３２Ｈｚ、５８５１．２Ｈｚ、７８６４Ｈｚと振動数が相対的に高く、図１２〜図１６に示すように、振動する２本の振動腕２ａ、２ｂの断面形状における幅が相対的に広く且つ振動腕２ａ、２ｂの長さが相対的に短く設定されているとともに、連結部２ｃが相対的に大きく形成されており、振動腕２ａ、２ｂの質量を大きくするための錘４は設けられていない。また、第３のグループの音叉１8〜１12は、振動腕２ａ、２ｂの幅が相対的に広く且つ振動腕２ａ、２ｂの長さが比較的短いため、音叉１として全体のバランスを取るため、把持部３が振動腕２ａ、２ｂの長さに比較して他のグループの音叉１よりも相対的に長く設定されている。なお、これらの第３のグループの音叉１8〜１12は、図１２乃至図１６に示すように、その把持部３の先端３ａが円弧状や曲面形状に形成されている。
【００５１】
上記音叉１の振動数の誤差は、例えば、第１のグループの音叉１1〜１3が±０．１〜０．２Ｈｚ、第２のグループの音叉１4〜１7が±０．０５Ｈｚ、第３のグループの音叉１8〜１12が±０．１〜０．２Ｈｚの範囲にそれぞれ設定されている。
【００５２】
また、第１のグループの音叉１1〜１3は、例えば、本体部分の材質が鉄４５Ｃであり、錘４の材質は、黄銅である。第２のグループの音叉１4〜１7は、例えば、材質がステンレス４２０であり、第３のグループの音叉１8〜１12は、材質が鉄４５Ｃであるが、これらは一例であり、他の材質で構成しても良いことは勿論である。また、各音叉１1〜１12の重量は、第１の音叉１1が約１９０ｇ、第２の音叉１2が約１５５ｇ、第３の音叉１3が約１１８ｇ、第４の音叉１4が約７０ｇ、第５の音叉１5が約５５ｇ、第６の音叉１6が約５０ｇ、第７の音叉１7が約４０ｇ、第８の音叉１8が約９５ｇ、第９の音叉１9が約９０ｇ、第１０の音叉１9が約８５ｇ、第１１の音叉１11が約７８ｇ、第１２の音叉１12が約１００ｇであり、すべてに炭素を用いた焼き入れが施されており、炭素の含有量が比較的多くて硬度が相対的に高く、一定の振動が相対的に長い時間継続するように形成されている。
【００５３】
また、上記の如く構成される音叉１1〜１12を使用する際における当該音叉１1〜１12の振動のさせ方は、特に限定されるものではなく任意であるが、通常は、図１７に示すように、ハンマー型に形成されたマーレット１０を用いるのが望ましい。マーレット１０は、先端に円柱形状に形成された打撃部１１を有しており、打撃部１１の一端部には、例えば、ゴム等の弾性体からなる打撃部材１２が設けられているとともに、他端部には、金属製の打撃部材１３が設けられている。また、マーレット１０は、打撃部１１の中央から略Ｔ字形状に細長く延びた細径部１４を備えており、当該細径部１４の基端部には、音叉１の振動腕２ａ、２ｂを打ち鳴らすために手で握る握り部１５が設けられている。なお、上記打撃部１１の両端部にそれぞれ設けられる打撃部材１１、１２は、双方ともゴム等の弾性体又は金属で形成しても良く、あるいは他の材質で構成しても良い。マーレット１０で音叉１を叩く位置は、音叉１の振動腕２ａ、２ｂの外側面であって、上端から振動腕２ａ、２ｂの長さの２割程度下の位置を叩くのが望ましい。なお、上記マーレット１０は、例えば、振動数が相対的に低い音叉１はゴム等の弾性体からなる打撃部材１２で振動させ、振動数が相対的に高い音叉１は金属製の打撃部材１３で振動させることで用いられる。但し、これに限定されるものではなく、マーレット１０のゴム等の弾性体からなる打撃部材１２及び金属製の打撃部材１３は、すべての周波数の音叉１を振動させるために有効に使用することができる。
【００５４】
なお、上記音叉１を振動させるためには、マーレット１０を用いる以外に、２本以上の音叉１の振動腕２ａ又は２ｂ同士を接触させたり、音叉１の振動腕２ａ、２ｂを施術師の手や腕あるいは大腿部などの人体に強く接触させたり、水晶等の石材、金属、木など任意のものと接触させれば良い。但し、音叉１の振動腕２ａ、２ｂを金属等に強く接触させると、振動腕２ａ、２ｂ等が損傷したり変形する虞れがあるため望ましくない。
【００５５】
振動させた音叉１1〜１12の音を患者２０に聴かせる場合には、図１８（ａ）に示すように、振動した音叉１を患者２０の耳に近づけるようにすれば良い。
【００５６】
また、振動させた音叉１1〜１12を人体に接触させる場合には、音叉１の把持部３の先端３ａを患者２０の人体２１に直接接触させれば良いが、その際、患者２０の患部２１に手２２のひらを開いた状態で当てて、音叉１の把持部３の先端３ａと人体２１との間に、図１９に示すように、施術師の手２２を開いた状態で介在させるようにしても良い。
【００５７】
さらに、音叉１の振動を直接脳へ骨伝導させて刺激する場合には、例えば、第３グループの音叉１10〜１12のいずれかを選択し、振動させたいずれかの音叉１10〜１12の把持部３の先端３ａの部分を、図１８（ｂ）に示すように、両耳の前にある顎関節部面に当てて、骨伝導させる方法と、振動させたいずれかの音叉１10〜１12の把持部３の部分を、図１８（ｃ）に示すように、口に咥えて上下の歯で噛むようにするのが望ましい。こうすることにより、歯を介して上顎及び下顎に振動が伝わり、図２２に示すように、頬骨や頭蓋骨を振動させ、骨伝導によって直接脳に振動刺激を伝えることができる。その際、音叉１10〜１12の振動が強すぎる場合には、音叉１10〜１12の把持部３の部分を布やゴム等の緩衝材を介して頭部に当てたり、噛むようにするのが良い。
【００５８】
また、頸椎への骨伝導で刺激をする場合には、第３グループの音叉１8〜１9のうち、頸椎の固有振動数に対応するいずれかの音叉を選択し、振動させたいずれかの音叉１8〜１9の把持部３の部分を、図１８（ｃ）に示すように、口に咥えて上下の歯で軽く噛み、歯を介して上顎及び下顎に振動が伝わり、図２２に示すように、頸椎に骨伝導させる方法を採っても良い。又、振動させた音叉１8〜１9の把持部３の先端３ａの部分を、図１８（ｂ）に示すように、顎関節部面に押し当てて、骨伝導させる方法を採用しても良い。
【００５９】
さらに、音叉１1〜１12は、必ずしも空気中で振動させる必要はなく、図２０に示すように、患者２０の患部２１を水中や温水中などの液体２５に浸漬するとともに、水中や温水中などの液体２５中に振動した音叉１1〜１12の把持部３を浸漬し、空気ばかりでなく、水や温水などを介して間接的に音叉１を振動させて使用しても良く、水中や温水中などの液体２５に浸漬した状態で患者２０の患部２１に振動した音叉１を直接接触させても良い。なお、足の反射区へは音叉１1を、手の反射区へは音叉１8〜１9を、耳の反射区へは音叉１10〜１11をその把持部３の先端３ａを反射区へ軽く押し当てるようにすれば良い。
【００６０】
顎のずれ、顎関節（炎）等には、振動数が３９３２Ｈｚの音叉１が有効であることが判っている。この振動数が３９３２Ｈｚの音叉１10を振動させ、音叉の把持部３を患者の口の上下の歯で軽く噛み、全体的に振動を伝達させる。次に、変位している側の顎の奥歯で振動させた音叉１10を軽く噛む。こうすることによって、患者の顎が自ら正規の位置へ移動して入り込み、顎のずれや顎関節（炎）の治療に効果が得られた事例があった。そのため、顎のずれや顎関節（炎）の治療には、振動数が３９３２Ｈｚの音叉１10を使用するのが望ましい。
【００６１】
また、患者２０の患部２１に鍼２６を打ち、図２１に示すように、置鍼した鍼２６の竜頭２７の横に振動させた音叉１を軽く接触させることによって、鍼を小刻みに振動させたり、置鍼した鍼２６の竜頭より下の部分に振動させた音叉１を軽く接触させるか、置鍼した鍼２６の竜頭２７の部分に振動させた音叉１のＵ字形状の股の部分を接触させるか、振動させた音叉１を近付けることによって空気を介して鍼２６を微少に振動させるようにしても良い。
【００６２】
その際、患者の患部に打たれた鍼を介して患者の患部に与える刺激の強さとしては、刺激の強度と神経や筋の興奮性について述べた法則であるブリューゲル・アルントシュルツの刺激法則に基づくのが望ましい。
【００６３】
このブリューゲル・アルントシュルツの刺激法則によれば、弱い刺激を与えることで神経機能を喚起し、中程度の刺激で神経機能を興奮させ、強い刺激は神経機能を抑制し、最強度の刺激で制止することができる。人体の内臓だけでなく、人体のどこかに具合が悪い場所があれば、その場所と関係がある皮膚に反応が出るため、経穴と合わせて刺激することで症状を軽減もしくは回復させることができる。経穴とは、中医学、漢方医学の概念で、体表の特定の部位に指圧、鍼、灸で刺激を与えることで体調の調整、諸症状の緩和をはかるものであり、一般には、ツボと呼ばれるものである。
【００６４】
振動させた音叉を手で持って空中に円を描くように回転させて人体に刺激を与える場合には、人体の正中に向かって求心性に振動させた音叉を廻す補法刺激と、人体の正中に向かって遠心性に振動させた音叉を廻す瀉法刺激がある。また、複数の音叉を使用する場合は、打ち鳴らした音叉を格子状に動かして倍音を発生させる方法もある。
【００６５】
ところで、この実施の形態では、音叉１を用いて治療を受ける患者又は美容・健康の維持増進を図る者が日本人である場合、上記１２本の音叉１1〜１12は、日本民族に固有の音階の少なくとも１つの音程に対応した振動数で振動する音叉を含むとともに、当該日本民族に固有の音階の少なくとも１つの音程に対応した振動数を基本振動数とし、この基本振動数を含み当該基本振動数と共鳴する複数の振動数であって、且つ、人体の部位毎に異なる固有振動数に対応した振動数で振動する複数の音叉から構成されている。
【００６６】
日本民族に固有の音階としては、例えば、呂旋法や律旋法、日本十二律音階など種々のものがあるが、この実施の形態では、日本十二律音階を用いている。日本十二律音階とは、日本の伝統音楽で用いられる１２種類の標準的な高さの音をいい、１オクターブを「三分損益法」に基づいて半音ずつ１２に分けたものである。
【００６７】
日本十二律音階は、壱越調（いちこつちょう）＝２９２．７Ｈｚ、断金調（たんぎんちょう）＝３０５．６Ｈｚ、平調（ひょうぢょう）＝３２６．２Ｈｚ、勝絶調（しょうぜつちょう）＝３４３．１Ｈｚ、下無調（しもむちょう）＝３６５．７Ｈｚ、双調（そうぢょう）＝３９１．５Ｈｚ、鳬鐘調（ふしょうちょう）＝４１０．１Ｈｚ、黄鐘調（おうしきちょう）＝４３７．０Ｈｚ、鸞鏡調（らんけいちょう）＝４６０．０Ｈｚ、盤渉調（ばんしきちょう）＝４９１．５Ｈｚ、神仙調（しんせんちょう）＝５１７．３Ｈｚ、上無調（かみむちょう）＝５４９．５Ｈｚの１２種類の音からなる。
【００６８】
この実施の形態では、１２本の音叉１1〜１12のうち、第２のグループの第５の音叉１5が、日本十二律音階の「盤渉調（ばんしきちょう）」の音程である振動数が４９１．５Ｈｚに設定されており、この「盤渉調」の音程の振動数である４９１．５Ｈｚを基本振動数としている。
【００６９】
このように、本発明者は、日本民族に固有の音階のうち少なくとも１つの音程として、日本十二律音階の「盤渉調（ばんしきちょう）＝４９１．５Ｈｚ」の音を選択している。「盤渉調」の「盤」は胎盤の「盤」、「渉」は「水中を歩く」ことであり、「盤渉調」とは、「子宮内の羊水の中を歩く」という意味である。また、俗に、新生児の産声（泣き声）の高さの音であるとも言われている。
【００７０】
そして、この実施の形態に用いられる音叉１は、第５の音叉１5の振動数が「盤渉調（ばんしきちょう）＝４９１．５Ｈｚ」の音に設定されている。そして、周波数が低い方に行くに従って、第４の音叉１4の振動数が「盤渉調（ばんしきちょう）＝４９１．５Ｈｚ」の周波数の約数（偶数又は整数分の１）である１／２＝２４５．８Ｈｚ、第３の音叉１3の振動数が「盤渉調（ばんしきちょう）＝４９１．５Ｈｚ」の周波数の１／４＝１２２．９Ｈｚ、第２の音叉１2の振動数が「盤渉調（ばんしきちょう）＝４９１．５Ｈｚ」の周波数の１／８＝６１．４Ｈｚ、第１の音叉１1の振動数が「盤渉調（ばんしきちょう）＝４９１．５Ｈｚ」の周波数の１／１６＝３０．７Ｈｚにそれぞれ設定されている。
【００７１】
また、この実施の形態に用いられる音叉１は、第６の音叉１6の振動数が「盤渉調（ばんしきちょう）＝４９１．５Ｈｚ」ではなく、「下無調（しもむちょう）＝３６５．７Ｈｚ」の２倍の周波数である７３１．４Ｈｚに設定されている。
【００７２】
第７の音叉１7の振動数が「盤渉調（ばんしきちょう）＝４９１．５Ｈｚ」の周波数の倍数（偶数又は整数倍）である２倍＝９８３Ｈｚ、第８の音叉１8の振動数が「盤渉調（ばんしきちょう）＝４９１．５Ｈｚ」の周波数の４倍＝１９６６Ｈｚ、第９の音叉１9の振動数が「下無調（しもむちょう）＝３６５．７Ｈｚ」の周波数の８倍＝２９２５．６Ｈｚ、第１０の音叉１10の振動数が「盤渉調（ばんしきちょう）＝４９１．５Ｈｚ」の周波数の８倍＝３９３２Ｈｚ、第１１の音叉１11の振動数が「下無調（しもむちょう）＝３６５．７Ｈｚ」の周波数の１６倍＝５８５１．２Ｈｚ、第１２の音叉１12の振動数が「盤渉調（ばんしきちょう）＝４９１．５Ｈｚ」の周波数の１２倍＝７８６４Ｈｚにそれぞれ設定されている。
【００７３】
上記の如く「盤渉調」は、子宮内の羊水の中を歩くという意味であり、日本人の赤ちゃんの産声に近いと言われており、「盤渉調」の音を聞くことによって心が洗われて聴覚や聴力が胎児だったころの純粋な状態に近づき、生きる原点にもたちかえらせる。
【００７４】
また、上述したように、トマティス博士の理論によれば、音の振動数の高低によって人体の共振（共鳴）する部位が異なり、図２２に示すように、尾骨から仙骨が２５０Ｈｚ、腰椎が５００Ｈｚ、胸椎が７５０〜１５００Ｈｚ、頸椎が２０００〜３０００Ｈｚ、後頭骨が４０００Ｈｚ、延髄が４０００〜６０００Ｈｚ、頭頂骨が８０００Ｈｚの振動数に共振すると言われている。
【００７５】
そこで、この実施の形態に係る１２本の音叉１1〜１12は、第４の音叉１4の振動数２４５．８Ｈｚが、尾骨から仙骨の固有振動数である２５０Ｈｚに対応しており、第５の音叉１5の振動数４９１．５Ｈｚが、腰椎の固有振動数である５００Ｈｚに対応しており、第６〜第７の音叉１6〜１7の振動数７３１．４Ｈｚ、９８３Ｈｚが、胸椎の固有振動数である７５０〜１５００Ｈｚに対応しており、第８〜第９の音叉１8〜１9 の振動数１９６６Ｈｚ、２９２５．６Ｈｚが、頸椎の固有振動数である２０００〜３０００Ｈｚに対応しており、第１０〜第１１の音叉１10〜１11 の振動数３９３２Ｈｚ、５８５１．２Ｈｚが、後頭骨の固有振動数である４０００Ｈｚと、延髄の固有振動数である４０００〜６０００Ｈｚに対応しており、第１２の音叉１12の振動数７８６４Ｈｚが、頭頂骨の固有振動数である８０００Ｈｚに対応している。
【００７６】
また、この実施の形態では、第１〜第３の音叉１1〜１3の振動数３０．７Ｈｚ、６１．４Ｈｚ、１２２．９Ｈｚが、下肢の足と下腿、膝の固有振動数である３２〜１２５Ｈｚに対応している。
【００７７】
以上の構成において、この実施の形態に係る音叉型治療器は、次のようにして、日本人や欧米人、あるいはアジア人等の患者が属する民族に適した振動を発生させる音叉を用いることにより、日本人や欧米人、あるいはアジア人等が生来的に有している呼吸運動、免疫力などの治癒力を効果的に引き出したり、患者自身の骨格などを含む人体を本来あるべき状態に戻すことにより、治療効果を高めることが可能となっている。
【００７８】
人体の免疫能の恒常性は、一般的に神経系の興奮と抑制による神経性調節と、脳下垂体や副腎皮質系による体液性調節によって相対的に維持されていると考えられており、これらの相対的なバランスがとれてこそ、すべての組織系（免疫系を含む）が正常な生理活動を行い、健康で疾患が生じなくなり、美容・健康が保たれる。
【００７９】
このように、我々の健康は、自立神経系とホルモン系と免疫系によって保たれており、これらの自立神経系とホルモン系と免疫系による調節作用に不具合が生じると健康が損なわれる。自立神経系は、神経系の興奮と抑制の働きをする交感神経と副交感神経の２つの神経系から成りたっている。交感神経は、活動している時や、緊張している時、あるいはストレスが加わった時などに働き、副交感神経は、休息している時や、リラックスしている時、体の修復をしている時などに働く。
【００８０】
交感神経が働く要因としては、日常の活動以外に、ストレスを挙げることができ、ストレスに晒されると交感神経が過剰に働き、副交感神経が十分に働くことができなくなり、体の不調や病気の原因となる。また、交感神経が過剰に働くことによって、筋肉が硬直化したり、血管が収縮して血圧が上昇し、栄養や酸素が全身に十分行き渡らなくなり、体温の低下を招いたり、リンパの流れが悪くなり、疲労物質や老廃物が排出されにくくなって、疲労回復や体の修復が追いつかず、疲労の蓄積や体の不調を招くことになる。その結果、首や肩の凝り、頭痛、腹痛、腰痛、大腿骨や膝の痛み、めまい、睡眠障害などの様々な症状が現れたり、かぜをひき易くなるといった体調不良が引き起こされ、病気の原因となる。
【００８１】
また、日常生活においてストレス以外にも家電製品から放出される電磁波は、人体の自立神経系やホルモン系に障害を起こし、健康に悪影響を与えるのではないかといわれている。更に、世界保健機構（ＷＨＯ）の国際がん研究機関（ＩＡＲＣ）は、２０１１年５月、携帯電話の電磁波と発がん性の関連について、限定的ながら「可能性がある」との分析結果を発表している。
【００８２】
このように、我々は、仕事や日常生活を続けていく上で、様々なストレスや環境的な阻害要因に囲まれており、人体の自立神経系、ホルモン系、免疫系の機能の恒常性が失われ易く、疲労の蓄積や体の不調を招き易い環境で生活している。
【００８３】
更に人体の自立神経系の機能について見た場合、胸髄と腰髄からは、交感神経が出ており、胸髄上部の線維は、頭頚部や上肢、心臓、肺などに分布し、胸髄中・下部の線維は、腹部の臓器に分布している。また、腰髄上部からの交感神経繊維は、腹部から骨盤部の臓器に分布している。さらに、交感神経には、内臓に分布する繊維のほかに皮膚の抹消血管や立毛筋に分布するものがある。
【００８４】
また、延髄からは、殆どの臓器に至る副交感神経が出ており、仙髄からも一部の臓器に至る副交感神経が出ている。交感神経や副交感神経が分布している臓器の異常や病気の有無との間には因果関係がある。
【００８５】
そこで、上述した自立神経系とホルモン系と免疫系による調節作用に不具合が生じた場合にもたらされる体の歪み、肩凝りや血行不良、自立神経失調症、不眠症などの様々な症状を改善乃至治癒するために、あん摩マッサージ指圧師、鍼師、灸師などによって様々な治療が行われている。
【００８６】
治療方法としては、体の歪み、肩凝りや血行不良などを、あん摩やマッサージ、あるいは指圧等の治療によって、物理的に歪んだ体の骨格などを正常な状態に戻したり、肩や首、あるいは全身の凝った筋肉を解したり、血液やリンパの流れを改善するなどの手段が挙げられる。
【００８７】
また、治療方法としては、人体のツボに鍼を打って置鍼したり、灸を施すなどして、交感神経の働きを抑えるとともに副交感神経の活動を活発にして、交感神経と副交感神経のバランスを回復するなど様々な手段がある。
【００８８】
ところで、本発明の実施の形態に係る音叉型治療器を用いた治療方法では、あん摩やマッサージ、あるいは指圧等の治療、鍼や灸による治療などと共に、あるいはこれらの治療に代わって、体の歪み、肩凝りや血行不良、自立神経失調症、不眠症などの様々な症状に対して治療を施すとともに、美容・健康の維持増進を図るものである。
【００８９】
音叉型治療器としての音叉１は、図１８に示すように、基本的に、当該音叉１を振動させた状態で、音叉１が発する音を患者が耳で聞いたり、音叉１の振動を直接人体の患部に伝搬させることで用いられる。例えば、第５の音叉１5は、上述したように、日本十二律音階の「盤渉調（ばんしきちょう）」の音、つまり４９１．５Ｈｚの振動数で振動するように設定されている。この「盤渉調（ばんしきちょう）」の語源の「盤渉」とは、「子宮内の羊水の中を歩く」という意味を有しており、俗に新生児の産声（泣き声）の高さの音であるとも言われている。
【００９０】
その結果、第５の音叉１5の振動音である日本十二律音階の「盤渉調（ばんしきちょう）」の音を聞いた患者は、無意識のうち、胎内にいたころの状態を想起させるような心理状態となり、リラックスすることができる。このように、「盤渉調（ばんしきちょう）」の音は、無意識のうちに胎児の頃へ戻るリセット効果や、安心、やすらぎ、リラックスという静的な効果と、生きるという生きる力や生まれるという生きる原点に立ち返らせる動的な効果も奏するものである。人間は、産声を上げた瞬間に生きる基本となる呼吸が始まる。この呼吸運動が乱れることによって体内が酸欠状態となり、血管系や細胞等にダメージを与え、さまざまな病気を引き起こす原因となるばかりか、美容においては、肥満や皮膚のくすみ、シワの原因ともなる。この人体の呼吸の仕組みは、単独で行なわれているものではなく、経絡においては、肺と腎の関係性があり、骨においては、仙骨と後頭骨との関係性がある。更に横隔膜との関係性もあるが、呼吸に合わせて連動する仙骨と後頭骨のシーソーの働きのバランスが神経を栄養する脳脊髄液の流れを促進させ、改善させる。
【００９１】
日本十二律音階における「盤渉調（ばんしきちょう）」の音は、人間が生きる原点ともなり、呼吸は人間が生きていく上で基本となるものである。人体の生理的なメカニズムは、各部が単独で働いて営まれているわけではなく、人体の各部位が相互に密接に関連して成りたっている。仙骨と後頭骨は、上述したように、呼吸運動に相互に関連している。また、第三脳室脈絡叢で作られた脳脊髄液は、中枢神経すみずみの神経細胞を栄養し、その残渣を再び第三脳室脈絡叢へと戻す循環がある。この脳脊髄液を脳から送り出したり、脳に戻したりする働き、即ちポンプ運動を仙骨と後頭骨とが司っている。
【００９２】
音叉型治療器・美容器としての音叉１の使用方法としては、人体の仙骨部の固有振動数に共鳴する音叉１を仙骨部に使用し、後頭骨の固有振動数に共鳴する音叉１は、後頭骨の高さで使用するだけで終わるのではなく（部分的な固有振動数の改善、調律だけではなく）、それぞれの部位に適した振動数の複数の音叉を選択し、これら複数の音叉を同時に使用することで、仙骨、後頭骨の活性化に関連性を持たせることができ、神経を栄養する脳脊髄液の循環にも良い影響を及ぼすことが可能となる。
【００９３】
また、第５の音叉１5を振動させた状態で人体の患部に接触させることにより、「盤渉調（ばんしきちょう）」の音である４９１．５Ｈｚの振動が人体に伝搬することになる。この５００Ｈｚ近くの音は、図２２に示すように、腰椎の振動数に対応していると言われており、腰髄の近傍に共鳴して伝わり、腰髄から出ている交換神経繊維を介して腹部から骨盤部の臓器の不調を整える作用を発揮する。
【００９４】
さらに、この実施の形態に係る１２本の音叉１1〜１12のセットは、第６の音叉１6と、第９の音叉１9と、第１１の音叉１11を除いて、第５の音叉１5である日本十二律音階の「盤渉調（ばんしきちょう）」の音、つまり４９１．５Ｈｚの振動数を基本として、その１／整数や整数倍の振動数に設定されており、すべて共鳴するようになっている。
【００９５】
したがって、上記１２本の音叉１1〜１12は、「盤渉調（ばんしきちょう）」の音である第５の音叉１5を基本としつつ、他の音叉１1〜１12は、第６の音叉１6と、第９の音叉１9と、第１１の音叉１11を除き、「盤渉調（ばんしきちょう）」の第５の音叉と共鳴し、第５の音叉１5と同様の作用・効果を得ることができる。
【００９６】
しかも、上記１２本の音叉１1〜１12は、患者の治療する部位に応じて、下肢や仙髄に対応した部位では、３０．７Ｈｚ、６１．４Ｈｚ、１２２．９Ｈｚ、２４５．８Ｈｚと振動数が相対的に低い第１のグループの音叉１1、１2 、１3及び第２のグループの音叉１4を用いることで、下肢や仙髄に対応した部位に音叉１の把持部３の先端３ａを接触させて下肢や仙髄に対応した部位を共鳴させることによって、膝などの下肢の関節や骨格、筋肉、あるいは仙髄に対応した部位を振動させることができ、下肢の骨格の歪みやずれ、あるいは筋肉の凝りなどの症状を改善させることができる。
【００９７】
また、第１のグループの音叉１1、１2 、１3及び第２のグループの音叉１4を用いることで、仙髄に対応した部位を共鳴させることによって、仙髄から出ている副交感神経を刺激して、大腸などの臓器の動きを鎮めて、便秘や下痢をくり返す過敏性大腸炎や、便秘や下痢や腹痛などの症状の緩和に寄与することができる。仙髄には、第２のグループの音叉１4が対応している。仙髄からは下肢への神経支配があるため、第１のグループの音叉１1、１2 、１3と組み合わせて用いると効果的である。
【００９８】
さらに、第１のグループの音叉１1、１2 、１3は、それぞれの振動数が３０．７Ｈｚ、６１．４Ｈｚ、１２２．９Ｈｚであり、リンパの流れの改善に効果が期待できる。
【００９９】
第２のグループの第４〜第７の音叉１4、１5 、１6、１7は、周波数が２４５．８Ｈｚ、４９１．５Ｈｚ、７３１．４Ｈｚ、９８３Ｈｚの相対的に中間の振動数で振動するように構成されている。そのため、尾骨、仙骨及び腰椎から胸椎に対応した部分を共鳴させることができ、腰から内臓の胃のあたりに対応した領域の交感神経を刺激することで、過剰な胃の動きなどを本来の状態に戻すことも可能となる。
【０１００】
また、第３のグループの音叉１8〜１12は、１９６６Ｈｚ、２９２５．６Ｈｚ、３９３２Ｈｚ、５８５１．２Ｈｚ、７８６４Ｈｚと振動数が相対的に高い振動数で振動するように構成されている。そのため、胸椎から頸椎、あるいは延髄、頭頂に対応した部分を共鳴させることができ、肺などの内臓の動きを整え、肺による呼吸作用を整えたり、上肢や肩、あるいは首の骨格や筋肉を調節することができ、肩凝りや腰痛、頭痛、めまい、睡眠障害などの様々な症状の改善が期待できる。さらに、第３のグループの音叉１10は、３９３２Ｈｚと振動数が相対的に高い振動数で振動するように構成されており、後頭骨の固有振動数である４０００Ｈｚに相当し、後頭骨と仙骨との呼吸運動に関するシーソーのバランスによる脳脊髄液の神経系を栄養し、体調を整える効果が期待できる。
【０１０１】
特に、第３のグループの音叉１12は、７８６４Ｈｚと振動数が大幅に高く「モーツァルト効果」で指摘されている８０００Ｈｚに近く、脳の働きを活性化させることができ、治療効果に加えて能力を強化乃至増進させる効果がある。
【０１０２】
また、８０００Ｈｚに近い第１２の音叉１12の７８６４Ｈｚで振動数する高い音（高周波音）を聞くと、α波（リラックスした気持ちのよい状態の時に後頭部から出る脳波）の活性が高まり、心身ともにリラックスできることが最近の実験で明らかになっている。
【０１０３】
また、３９３２Ｈｚ、５８５１．２Ｈｚの振動数を有する音叉は、延髄が共鳴する振動数と言われている４０００Ｈｚ〜６０００Ｈｚに相当する。延髄からは、ほとんどの臓器に至る副交感神経が多数出ており、延髄を共鳴させて振動させることにより、延髄及び延髄から出ている副交感神経の働きを活発にして、普段、交感神経優位の状態が長時間続いている現代人に対して、副交感神経優位の状態を容易に作り出すことができ、交感神経と副交感神経のバランスを取り戻して、体の歪み、肩凝りや血行不良、自立神経失調症、不眠症、ストレスなどの様々な症状を改善することができる。
【０１０４】
さらに、第３のグループの音叉１8〜１12のうち、音叉１10〜音叉１12は、３９３２Ｈｚ、５８５１．２Ｈｚ、７８６４Ｈｚと振動数が、後頭骨の共振周波数である４０００Ｈｚ、頭頂骨の共振周波数である８０００Ｈｚにそれぞれ対応しており、これらの音叉１10〜音叉１12を用いて後頭骨や頭頂骨に対応する位置に接触させて微振動を伝播させて共鳴させることによって、携帯電話の電磁波の影響を受けている脳細胞を活性化させたり、視床下部、脳下垂体などを刺激して、体内時計の回復、ホルモンバランスを整え、免疫機能を促進させ、体内リズムを整える効果がある。更に、前頭骨においての振動刺激は、両下肢、骨盤の長さ・高さを調整する働きもあるため、姿勢反射の改善にもつながり、骨格調整の効果もある。
【０１０５】
また、美容目的で音叉１を用いる場合は、気になる皮下脂肪の上に軽く打ち鳴らした音叉１を置いて振動させ、体のむくみを取ることができる。音叉１を顔面に用いる場合には、高い周波数による細胞の活性化により、シワ、たるみ、豊麗線の予防対策、治療効果が期待できる。
【０１０６】
実施例１
８６才の女性患者Ａは、２０１１年の８月まで自力で歩行していたが、転倒をきっかけとして歩行困難となり、ベッド上で過ごす時間が多くなり、移動は車椅子で行う生活となった。
【０１０７】
股関節より下方の両下肢の浮腫みが酷い状態となり、本発明者が診察したときには、両下肢、特に右足の浮腫みによる腫れが顕著であった。そのため、全身調整を行い、両下肢の浮腫みを改善させる鍼治療を行った。全身調整は、リハビリレベルの軽擦を中心としたスポーツマッサージを求心性に下肢、体幹、上肢、頚、頭にわたって１５分程度軽く行い、各関節に運動法を施した。更に、ストレッチ体操を行い、頭蓋仙骨療法で筋肉、関節、横隔膜、後頭骨と仙骨のシーソーバランスを改善させるとともに、呼吸運動を回復させ、酸欠及び脳脊髄液の循環を改善した。
【０１０８】
そのとき、鍼は、置鍼したまま両足の裏、両足の甲へ振動させた周波数が３０．７Ｈｚである盤渉調の第１の音叉１1の把持部３の先端部分を、鍼を置いていない部位に軽く押し当て、次々とツボ刺激を振動させた音叉１1で行った。
【０１０９】
次に、振動させた音叉１1の把持部３の横の部分を両足、足の指の付け部分や両足の関節部（リスフラン関節等）において、両足首に向かい軽く擦り上げる治療を繰り返した。また、両下肢においては、周波数が６１．４Ｈｚである盤渉調の第２の音叉１2を使用し、両膝周囲へは周波数が１２２．９Ｈｚである盤渉調の第３の音叉１3を使用し、それぞれ振動させた音叉１の把持部３の先端３ａの部分を軽く押し当てる治療を行った。
【０１１０】
更に、振動している音叉１の把持部３の部分を使い、両下肢、両足を求心性に軽く擦り上げる動作を行った結果、患者の両下腿から下の浮腫み、特に象の足のような足の浮腫みが改善され、硬く、冷たかった患者の足の筋肉や足の触ったときの冷たさが改善され、筋肉は柔らかくなり、浮腫みも取れ、患部がとても温かくなり、血行が良好となった。上記治療は、午前中、１時間１５分程の時間にわたって１回のみ行ったものであり、１回の治療で顕著な改善効果が見られ、即効性があると考えられる。
【０１１１】
このことから、盤渉調の第１、第２及び第３の音叉１1、１2、１3を組み合わせた治療が、患者の両下肢のリンパの流れを促進させることができ、又、血行促進にもなることが判った。
【０１１２】
また、盤渉調の音叉セットである１２本の音叉１1〜１12を、この患者の各部位に有効な周波数の音叉の振動と音色を患者に聞かせたり、体に軽く押し当てた結果、寝返りもままならなった患者自身、自ら横になり、片肘をついてテーブル上にあったお茶入りのマグカップを自力でのみ、自力で横になることができるという驚異的な回復能力を引き出すことができた。そのため、介護の世界、主に寝たきりの患者への治療には、音叉治療は最適であると考えられる。
【０１１３】
さらに、血管を拡張させる薬を服用している人に、鍼治療を施した場合には、内出血の原因ともなり、又、足のむくみがひどい人への鍼治療は、抜鍼後、その部位からリンパ液が内部から出て、感染の危険性があったため、振動させた音叉による刺激は、安全で、治療及び予防効果も高い。
【０１１４】
なお、音叉による実施例は、以下の実施例も含めて、患者に音叉の周波数や形状等が知られない状況下で実施した。
【０１１５】
実施例２
６５才の男性患者Ｂは、原因不明の歩行困難になり、１０年が経過していた。頭部ＣＴ、ＭＲＩ、頚、腰等の様々な機器や部位の検査を病院で受けたが、原因は不明のままであった。
【０１１６】
日常生活は、上半身と腕を使用して自力で車椅子に乗って移動し、部屋の中では自力で車椅子を降り、床に寝そべったままの状態で横向きで上半身と腕を使い、移動する生活を送っていた。また、整形外科や家でもリハビリ治療は一切行わず、そのまま放置した状態であった。
【０１１７】
その結果、下肢の筋肉はやせ細り、足の関節も伸びたままの状態で筋肉が石のように硬く、柔軟性がまったくなく、両膝が曲がらない状態であった。
【０１１８】
本発明者は、この患者Ｂに軽くスポーツマッサージを施し、全身の血行を良くさせてから、鍼を全身に浅めに打ち、置鍼させた状態で盤渉調の音叉の振動を鍼の竜頭へ軽く伝達させる方法で全身に行ったところ、治療前の過緊張の下半身の筋肉がとてもやわらかくなり、患者の踵が臀部につくまでになった。
【０１１９】
更に説明すると、置鍼した鍼に振動刺激が必要な個所には、盤渉調の振動させた音叉を各部位に有効な周波数を選び、鍼の竜頭へ振動刺激を行った。また、置鍼していない個所には、対応する部位の高さに振動させた音叉を近づけ、空気振動のみで治療を行った。その際、振動数が３０．７Ｈｚの「盤渉調」の第１の音叉１1は、足の甲や裏などの両足へ、振動数が６１．４Ｈｚの「盤渉調」の第２の音叉１2は両下腿へ、振動数が１２２．９Ｈｚの「盤渉調」の第３の音叉１3は両膝へ、振動数が２４５．８Ｈｚの「盤渉調」の第４の音叉１4は、仙骨及び尾骨へ、振動数が４９１．５Ｈｚの「盤渉調」の第５の音叉１5は腰部へそれぞれ使用した。また、振動数が７３１．４Ｈｚの「盤渉調」の第６の音叉１6は、横隔膜の高さに、振動数が９８３Ｈｚの「盤渉調」の第７の音叉１7は背部及び胃の高さに、振動数が１９６６Ｈｚの「盤渉調」の第８の音叉１8は上部胸椎、下部頚椎、肩背部、星状神経叢の高さに、振動数が２９２５．６Ｈｚの「盤渉調」の第９の音叉１9は、上部頚椎部の高さに、振動数が３９３２Ｈｚの「盤渉調」の第１０の音叉１10は後頭部、顔面部の高さに、振動数が５８５１．２Ｈｚの「盤渉調」の第１１の音叉１11は延髄部の高さに、振動数が７８６４Ｈｚの「盤渉調」の第１２の音叉１12は頭頂部の高さに、それぞれ位置させて空気を介して振動を伝播させた。
【０１２０】
また、うつぶせになっている体勢で両膝を曲げたまま、左右の体側の床に患者の両足を倒したところ、床につくまでになり、大きな治療効果が得られた。腰、下肢、脳に効果が得られた。患者Ｂは、治療後、簡単に自力であぐらをかくことができるようになった。そのため、足こぎの車椅子を患者に紹介し、現在は足こぎ車椅子に乗り、体力を高めるまでに回復した。
【０１２１】
実施の形態２
この実施の形態２では、民族に固有の音階の少なくとも１つの音程として、春・夏・土用・秋・冬の季節に応じて日本十二律音階の異なる音程に設定するように構成されている。
【０１２２】
日本十二律音階の１２の音程のうち、「盤渉調」は冬に、「双調」は春に、「黄鐘調」は夏に、「壱越調」は土用に、「平調」は秋にそれぞれ対応すると言われている。
【０１２３】
そこで、この実施の形態２では、上述した実施の形態１で説明したように、「盤渉調」の音程を基本周波数とする１２本の音叉１1〜１12が、春・夏・土用・秋・冬のうち冬に対応した音叉として構成されている。
【０１２４】
同様に、「双調（そうぢょう）」の音程である３９１．５Ｈｚを基本周波数とする複数本の音叉１を、春・夏・土用・秋・冬の季節のうち春に対応した音叉とし、「黄鐘調（おうしきちょう）」の音程である４３７．０Ｈｚａを基本周波数とする複数本の音叉１を、春・夏・土用・秋・冬のうち夏に対応した音叉とし、「壱越調（いちこつちょう）」の音程である２９２．７Ｈｚを基本周波数とする複数本の音叉１を、春・夏・土用・秋・冬の季節のうち土用に対応した音叉とし、「平調（ひょうぢょう）」の音程である３２６．２Ｈｚを基本周波数とする複数の音叉１を、春・夏・土用・秋・冬の季節のうち秋に対応した音叉として構成されている。
【０１２５】
なお、春に対応した「双調（そうぢょう）」の音程である３９１．５Ｈｚを基本周波数とする複数本の音叉１は、「双調（そうぢょう）」の音程である基本周波数３９１．５Ｈｚａの音叉を中心にして、基本周波数３９１．５Ｈｚの１／２の１９５．８Ｈｚ、基本周波数３９１．５Ｈｚの１／４の９７．９Ｈｚ、基本周波数３９１．５Ｈｚの１／８の４８．９Ｈｚ、基本周波数３９１．５Ｈｚの１／１６の２４．５Ｈｚ、基本周波数３９１．５Ｈｚの２倍の７８３．０Ｈｚ、基本周波数３９１．５Ｈｚの４倍の１５６６Ｈｚ、基本周波数３９１．５Ｈｚの８倍の３１３２Ｈｚ、基本周波数３９１．５Ｈｚの１６倍の６２６４Ｈｚに加えて、a４４０Ｈｚとした場合における純正律Ｃである基本周波数５２８Ｈｚ、基本周波数５２８Ｈｚの２倍の１０５６Ｈｚ、基本周波数５２８Ｈｚの４倍の２１１２Ｈｚの振動数に対応したものからなる。
【０１２６】
また、夏に対応した「黄鐘調（おうしきちょう）」の音程である４３７．０Ｈｚを基本周波数とする複数本の音叉１は、「黄鐘調（おうしきちょう）」の音程である基本周波数４３７．０Ｈｚの音叉を中心にして、基本周波数４３７．０Ｈｚの１／２の２１８．５Ｈｚ、基本周波数４３７．０Ｈｚの１／４の１０９．３Ｈｚ、基本周波数４３７．０Ｈｚの１／８の５４．６Ｈｚ、基本周波数４３７．０Ｈｚの１／１６の２７．３Ｈｚ、基本周波数４３７．０Ｈｚの２倍の８７４Ｈｚ、基本周波数４３７．０Ｈｚの４倍の１７４８Ｈｚ、基本周波数４３７．０Ｈｚの８倍の３４９６Ｈｚ、基本周波数４３７．０Ｈｚの１６倍の６９９２Ｈｚに加え、ピタゴラス調ｅ2の６６０Ｈｚ、ピタゴラス調ｅ3の１３２０Ｈｚ、ピタゴラス調ｅ4の２６４０Ｈｚの振動数に対応したものからなる。
【０１２７】
ここで、「黄鐘調」の音程にピタゴラス調の音程を組み合わせた理由は、ピタゴラス調ｅ2の６６０Ｈｚ、ピタゴラス調ｅ3の１３２０Ｈｚ、ピタゴラス調ｅ4の２６４０Ｈｚの振動数が、「黄鐘調」の基本周波数である４３７．０Ｈｚと、基本周波数の２倍の８７４Ｈｚと、基本周波数４３７．０Ｈｚの４倍の１７４８Ｈｚと、基本周波数４３７．０Ｈｚの８倍の３４９６Ｈｚとの中間に位置し、又、人体の各部位の周波数に対応しているためである。「黄鐘調」の基本周波数である４３７．０Ｈｚの「ミ」の音程は、例えば、太陽神経叢に働きかけ、内分泌腺の中で膵臓のランゲルハンス島のインシュリンによる血糖値の代謝機能を促進する効果が期待できる。
【０１２８】
さらに、秋に対応した「平調（ひょうぢょう）」の音程である３２６．２Ｈｚを基本周波数とする複数本の音叉１は、「平調（ひょうぢょう）」の音程である基本周波数３２６．２Ｈｚの音叉を中心にして、基本周波数３２６．２Ｈｚの１／２の１６３．１Ｈｚ、基本周波数３２６．２Ｈｚの１／４の８１．６Ｈｚや、基本周波数３２６．２Ｈｚの１／８の４０．８Ｈｚ、基本周波数３２６．２Ｈｚの２倍の６５２．４Ｈｚ、基本周波数３２６．２Ｈｚの４倍の１３０４．８Ｈｚ、基本周波数３２６．２Ｈｚの８倍の２６０９．６Ｈｚ、基本周波数３２６．２Ｈｚの１６倍の５２１９．２Ｈｚに加え、物理調Ｃ2の５１２Ｈｚ、物理調Ｃ3の１０２４Ｈｚ、物理調Ｃ4の２０４８Ｈｚ、物理調Ｃ5の４０９６Ｈｚの振動数に対応したものからなる。
【０１２９】
「平調」の音程に物理調の音程を組み合わせた理由は、物理調Ｃ5の４０９６Ｈｚの振動数が、「平調」の音程である基本周波数３２６．２Ｈｚの８倍の２６０９．６Ｈｚと、基本周波数３２６．２Ｈｚの１６倍の５２１９．２Ｈｚとの間に位置し、人体の延髄等の部位に対応しており、又、物理調Ｃ2の５１２Ｈｚ、物理調Ｃ3の１０２４Ｈｚ、物理調Ｃ4の２０４８Ｈｚは、人体の他の部位に対応しているためである。
【０１３０】
また、土用に対応した「壱越調（いちこつちょう）」の基音である２９２．７Ｈｚを基本周波数とする複数本の音叉１は、「壱越調（いちこつちょう）」の基音である基本周波数２９２．７Ｈｚの音叉を中心にして、基本周波数２９２．７Ｈｚの１／２の１４６．４Ｈｚ、基本周波数２９２．７Ｈｚの１／４の７３．２Ｈｚ、基本周波数２９２．７Ｈｚの１／８の３６．６Ｈｚ、基本周波数２９２．７Ｈｚの２倍の５８５．４Ｈｚ、基本周波数２９２．７Ｈｚの４倍の１１７０．８Ｈｚ、基本周波数２９２．７Ｈｚの８倍の２３４１．６Ｈｚ、基本周波数２９２．７Ｈｚの１６倍の４６８３．２Ｈｚ、更には中周波数領域の１０００Ｈｚ、中周波数領域の２０００Ｈｚ、中周波数領域の３０００Ｈｚ、高周波数領域の６０００Ｈｚの振動数に対応したものからなる。
【０１３１】
「壱越調」の音程に中周波数領域の１０００Ｈｚ、中周波数領域の２０００Ｈｚ、中周波数領域の３０００Ｈｚ、高周波数領域の６０００Ｈｚの振動数を組み合わせた理由は、各季節毎に存在する土用における使用を前提として、季節に限定されずに人体に各部位に対応した基本周波数の音叉セットを提供するためである。このことにより、ストレス等の影響により季節の変化に体が対応しきれない患者の各種の疾患に対応することが可能となる。
【０１３２】
そして、上記５つのセットの音叉のうち、春は「双調（そうじょう）」に対応したセットの音叉を、夏は「黄鐘調（おうしきちょう）」に対応したセットの音叉を、土用は「壱越調（いちこつちょう）」に対応したセットの音叉を、秋は「平調（ひょうじょう）」に対応したセットの音叉を、冬は「盤渉調（ばんしきちょう）」に対応したセットの音叉を使用するようにすれば良い。
【０１３３】
更に説明すると、春に対応した「双調」の１２本の音叉セット１1〜１12は、中医学でいう五臓のうち、「肝」の治療・調整を主目的としたものであり、「双調」とａ４４０Ｈｚのときの純正律Ｃ（ド）の２種類のグループから構成されている。
【０１３４】
この「双調」の音叉セットの特色は、第６の音叉１6の振動数が５２８Ｈｚであるａ４４０Ｈｚのときの純正律Ｃ（ド）であることにある。この５２８Ｈｚの周波数は、ＤＮＡ（遺伝子）の修復や活性化、あるいは老化防止（老化予防）に効果があるとされている。そこで、放射能や大気汚染、風力発電や避雷針等による低周波障害、パソコンや携帯電話、電化製品からの電磁波による影響、地球温暖化における天変地異、あるいは人間関係等のストレスなどにより遺伝子が傷つき、癌化することへの対策あるいは遺伝子を守るために、「双調」の音叉セットに組み合わせている。
【０１３５】
中医学でいう「肝」は、外界からの傷害や体内の有害物を防御し、排除する作用を有している。また、精神情緒の活動を調節する作用があり、また思惟活動の中心で、思考思索をめぐらす作用があり、判断力や決断力と関係があると言われている。また、「肝」は、感情の起伏と関係し、怒りやすくなったり、メソメソと涙もろくなったり、躁鬱状態を引き起こす場合もある。
【０１３６】
その他の働きとして、肝は、血量の調節、筋肉、関節の運動、筋骨の痛み、めまい、目、生殖器、女性の更年期症状、爪、水分代謝、中風による半身不随、言語障害、筋委縮性疾患と関係がある。
【０１３７】
この「双調」の音叉セット１1〜１12は、胸椎から頚椎にかけて治療効果が高く、自律神経系に働きかけ、筋肉、情志、肝臓の働きに効果が期待できる。特に、頚部が柔らかくなり、緊張感が取れて軽くなる。頚椎ムチウチ症や頚椎ヘルニア症の患者にも効果あり、頚椎の配列も良くなり、頚も細くなる傾向がある。また、「双調」の音叉１の音色が心地良いせいか、「双調」の音叉１を用いた治療によって心が癒され、明るく楽しくなり、気分が前向きとなって心身共に軽やかになり、患者は笑顔になり、情志、精神情緒が安定する傾向にある。
【０１３８】
振動数が９７．９Ｈｚである「双調」の第３の音叉１3は、振動させた状態で共鳴させて患者に聴かせた場合、やわらかい春の風を感じるようで優しい気持ちになれ、心地良さを患者は感じ、リラックスすることができる。また、振動数が１９５．８Ｈｚである「双調」の第４の音叉１4は、元気やパワーが出てくると患者に言われ、振動数が５２８Ｈｚである「双調」の第６の音叉１6では、躍動し、呼吸が楽になる傾向がある。さらに、振動数が１５６６Ｈｚである「双調」の第９の音叉１9は、人体に接触させて使用した場合、星状神経節へ働きかけるきっかけを作り、頭、顔面、頚、肩、両上肢、胸、背中などの交感神経をブロックさせ、主に上半身の副交感神経が優位になり、リラックス状態となる。そして、自律神経のバランスを整え、筋肉の緊張が取れ、筋肉のこりが楽になり、血管が拡張して体が温まり、脳の血流量も増える傾向にある。また、振動数が２１１２Ｈｚである「双調」の第１０の音叉１10は、下部頚椎及び下部頚部の筋肉を柔らかくし、振動数が３１３２Ｈｚである「双調」の第１１の音叉１11は、上部頚椎及び上部頚部の筋肉を柔らかくし、筋緊張を解す作用がある。更に、振動数が６２６４Ｈｚである「双調」の第１２の音叉１12は、頭部に使用した場合、髪に艶が出るとともに、姿勢が整う効果が期待できる。
【０１３９】
このように、「双調」の音叉セットは、筋肉、情志、自律神経系に働きかけ、心身共に軽やかに調整し、主に胸部と頚部、うなじ、頭をリラックスさせる効果が期待される。
【０１４０】
また、足の反射区には、振動数が２４．５Ｈｚである「双調」の第１の音叉１1を使用し、手の反射区には、振動数が１５６６Ｈｚである「双調」の第９の音叉１9、及び振動数が２１１２Ｈｚ（ａ４４０のときの純正律Ｃ）の第１０の音叉１10を使用する。耳の反射区には、振動数が３１３２Ｈｚである「双調」の第１１の音叉１11、及び振動数が６２６４Ｈｚである「双調」の第１２の音叉１12を使用する。
【０１４１】
「双調」は、音の高さでいうとＧ（ソ）に相当し、ａ４４０のときの純正律Ｃは、音の高さでいうと（ド）に相当するものであり、２つのグループの音叉は調和する。
【０１４２】
また、「黄鐘調（おうしきちょう）」の１２本の音叉セット１1〜１12は、中医学でいう五臓のうち、「心」の治療・調整を主目的としたものであり、「黄鐘調（おうしきちょう）」と「ピタゴラス調ｅ」の２種類のグループから構成されている。
【０１４３】
中医学でいう「心」は、心と大動静脈、肺動静脈及びその機能、造血作用や精神神経作用、そして人間の生命現象を主宰し、各内臓器官を統轄する働きを持つと言われている。「心」は、脉、血液の性状及び血液循環、舌、味覚、心臓、汗、心、睡眠と関係を有する。
【０１４４】
「黄鐘調（おうしきちょう）」の１２本の音叉セット１1〜１12は、視床下部、脳下垂体、太陽神経叢、副腎に作用して、内分泌、ホルモン系、体内リズムの調節を整えるために使用されるものであり、体内時計の調節、体温調節、代謝の調節、睡眠のリズムの調節、下垂体ホルモンの調節、食行動や飲食行動、性行動などの本能行動の中枢、怒りや不安などの情動行動の中枢の調節、排卵、自律神経、内分泌機能など、自律機能の調節を整える。又、重力に対して姿勢を保持させる抗重力筋に働きかけ、人体の立位姿勢を保持し、安定させ、重心線に近付ける効果があり、人体の軸を安定させる上で有効である。
【０１４５】
この「黄鐘調」の音叉セット１1〜１12の音色は、澄んだ感じを与えて夏を実感させる。心臓神経症の不整脈がある患者に有効な鍼を打ち、置鍼したまま、体の各部位に効果を及ぼす周波数の音叉１を打ち鳴らして聴かせたところ、施術終了後、正常な心拍数とリズムに戻った。また、高くキンキンとした音にも関わらず、ほとんどの患者は治療中に眠る傾向が見られた。
【０１４６】
足の反射区には、振動数が２７．３Ｈｚである「黄鐘調」の第１の音叉１1を使用し、手の反射区には、振動数が１７４８Ｈｚである「黄鐘調」の第９の音叉１9、及び振動数が２６４０Ｈｚである「ピタゴラス調ｅ」の第１０の音叉１10を使用する。また、耳の反射区には、振動数が３４９６Ｈｚである「黄鐘調」の第１１の音叉１11、及び振動数が６９９２Ｈｚである「黄鐘調」の第１２の音叉１12の音叉を使用する。
【０１４７】
この「黄鐘調」の音叉セット１1〜１12は、自律神経系による神経性の調節とホルモンによる体液性の調節である体内の恒常性、ホメオスターシスを保つ効果が期待できる。又、抗重力筋に働きかけ、立位姿勢を保持・安定させ、重心線に近付ける作用があるため、人体の軸が安定し、姿勢が良くなり、気分をも向上させる効果がある。「黄鐘調」は、音の高さでいうとＡ（ラ）であり、ピタゴラス調ｅは、音の高さでいうとｅ（ミ）であり、調和する。
【０１４８】
さらに、土用に対応した「壱越調（いちこつちょう）」の１２本の音叉セット１1〜１12は、中医学でいう五臓のうち、「脾」の治療・調整を主目的としたものであり、「壱越調（いちこつちょう）」とトマティス理論に則った人体の各部位の固有振動数に対応した音程の２種類のグループから構成されている。「壱越調」の音の高さは、Ｄ（レ）である。
【０１４９】
中医学でいう「脾」は、胃の運動機能、膵臓、十二指腸、脾臓を総合したようなものを指すと考えられ、表裏関係にある胃と共に広く消化器全体を指す場合がある。食事したものを栄養として全身に運ぶ力、体中の水はけ、余分な体内の水分を痰として形成させる作用があり、水分の吸収と排泄促進を行う。又、統血の作用があり、血管からの出血を抑制し、順調に体内を循行させる作用があると言われている。「脾」は、全身の肌肉を壮実にし、四肢の活動を有効にしている。口に開窮し、口味（味覚）と関係がある。開窮とは、脳神経の働きを良好にすることを意味する。また、内臓を持ち上げる昇清機能があり、下垂した内臓を正常な位置に持ち上げ安定させる。
【０１５０】
「脾」の力が弱まると、統血が困難となり、血液の生成が不良となる。そして、下部の出血、潰瘍性の下血、機能性子宮出血、便血、血小板減少症などを招くことがある。「脾」は胃と共同で消化、吸収、栄養物質の輸送を行い、「脾」の機能が充実すれば、体型もそれに併せて立派となり、「脾」の力が衰えると、食欲不振や腹部膨満感を招き、肌肉は痩せ、四肢は弱まる。また、内蔵を持ち上げる機能が不調となり、胃下垂や脱肛などの原因ともなる。又、体中の水はけ、余分な体内の水分を排出することができなくなるため、痰湿が体内に停滞し、中医学でいう肥満の主な原因ともなる。
【０１５１】
この「壱越調」の音叉セットは、胃腸、婦人科系、ストレスによる自律神経失調症、胃下垂、脱肛などの内蔵下垂、交通事故などの外傷性のムチウチ症による不調となった心身のリズムを回復、調整、肥満予防、生活習慣病の治療や、美容、痩身のためにも使用される。特に、「壱越調」の１２本の音叉セット１1〜１12のうち、振動数が１４６．４Ｈｚである「壱越調」の第３の音叉１3を振動させた状態で、その把持部３の先端を下腿の足三里穴のつぼに軽く置いて振動刺激を与えることにより、ストレスや胃疾患、日常的な胃下垂、及び食後の胃下垂の引き揚げに効果が期待される。また、慢性的な胃炎に対しては、振動数が７３．２Ｈｚである「壱越調」の第２の音叉１2を振動させた状態で、その把持部３の先端を下腿の豊隆穴に軽く置いて振動刺激を与えることにより改善効果が期待できる。さらに、五十肩や肩関節障害には、振動数が７３．２Ｈｚである「壱越調」の第２の音叉１2を振動させた状態で、その把持部３の先端３ａを患部の肩と同側の下腿の条口穴に軽く置いて振動刺激を与えることにより、上肢が挙上し易くなる効果が得られる。
【０１５２】
土用は夏以外にも四季各々にあると言われ、季節の変わり目である土用には、心身共にストレスを受け、失調し、変位する部分を、土用に対応した「壱越調」を中心として人体の調整を行うトマティス理論で言われている有効な周波数と組み合わせた「壱越調」の音叉セットを用いることで治療・調整を図るものである。
【０１５３】
この「壱越調」の音叉セットは、春・夏・土用・秋・冬に対応した５つの音叉セットの核となるものであり、後天の気（飲食の栄養の精気）を調整して、生きる力を引き出す基礎・基本となるものである。
【０１５４】
春に胃痛を訴える人、夏に胃痛を訴える人等、その人の１年間のバイオリズムで季節による変化に体が対応できないときに有効と考えられるものである。春に芽のものを食べ、体に勢いをつけ、夏には、葉のものを食べ、体内を冷やす。秋には実のものを食べ、生命力をつけ、冬には根のものを食べ、体を温めると良いと言われ、旬なものを食べる大切さを昔からの知恵としている。四季とともに食生活も変化するので、体が対応できにくくなってきたときに、この「壱越調」の音叉セットは、有効であると考えられる。
【０１５５】
足の反射区には、振動数が３６．６Ｈｚである「壱越調」の第１の音叉１1を使用し、婦人科系の疾患には、振動数が３６．６Ｈｚである「壱越調」の第１の音叉１1と、振動数が２９２．７Ｈｚである「壱越調」の第４の音叉１4を使用する。五十肩、肩関節周囲には、振動数が７３．２Ｈｚである「壱越調」の第２の音叉１2を使用する。また、消化器系には、振動数が１４６．４Ｈｚである「壱越調」の第３の音叉１3と、振動数が５８５．４Ｈｚである「壱越調」の第５の音叉１5、振動数が１０００Ｈｚであるトマティス理論の中周波数領域の第６の音叉１6、振動数が１１７０．８Ｈｚである「壱越調」の第７の音叉１7を使用する。特に、胃痛や胃の動きが弱いときは、振動数が７３．２Ｈｚである「壱越調」の第２の音叉１2と、振動数が１４６．４Ｈｚである「壱越調」の第３の音叉１3と、振動数が１０００Ｈｚであるトマティス理論の中周波数領域の第６の音叉１6及び振動数が２０００Ｈｚであるトマティス理論の中周波数領域の第８の音叉１8を使用する。
【０１５６】
さらに、手の反射区には、振動数が２０００Ｈｚであるトマティス理論の中周波数領域の第８の音叉１8、及び振動数が２３４１．６Ｈｚである「壱越調」の第９の音叉１9を使用する。また、交通事故等の外傷性のムチウチ症や頚椎、椎間板ヘルニア等による下部頚椎部の違和感には、振動数が２０００Ｈｚであるトマティス理論の中周波数領域の第８の音叉１8、を使用し、手の痺れ等にも有効である。又、上記の外傷性の頸椎部中部には、振動数が３０００Ｈｚであるトマティス理論の中周波数領域の第１０の音叉１10を使用し、自律神経失調症、めまい、吐き気、頭痛等のストレス疾患などは、振動数が２０００Ｈｚであるトマティス理論の中周波数領域の第８の音叉１8、振動数が２３４１．６Ｈｚである「壱越調」の第９の音叉１9、振動数が３０００Ｈｚであるトマティス理論の中周波数領域の第１０の音叉１10を使用する。
【０１５７】
耳の反射区には、振動数が３０００Ｈｚであるトマティス理論の中周波数領域の第１０の音叉１10、及び振動数が４６８３．２Ｈｚである「壱越調」の第１１の音叉１11を使用し、顎関節炎には、同じく振動数が４６８３．２Ｈｚである「壱越調」の第１１の音叉１11を、顎関節炎からの頸椎症には、振動数が２０００Ｈｚであるトマティス理論の中周波数領域の第８の音叉１8、及び振動数が２３４１．６Ｈｚである「壱越調」の第９の音叉１9、振動数が３０００Ｈｚであるトマティス理論の中周波数領域の第１０の音叉１10を併用する。また、姿勢の安定保持には、振動数が４６８３．２Ｈｚである「壱越調」の第１１の音叉１11を使用し、延髄部には、振動数が４６８３．２Ｈｚである「壱越調」の第１１の音叉１11、及び振動数が６０００Ｈｚであるトマティス理論の高周波数領域の第１２の音叉１12を使用する。
【０１５８】
一方、「平調（ひょうじょう）」の１２本の音叉セット１1〜１12は、中医学でいう五臓のうち、「肺」の治療・調整を主目的としたものであり、「平調（ひょうじょう）」と物理調Ｃの２種類のグループの音叉から構成され、呼吸や皮膚、咽喉部、あるいは骨格を調整するために主に使用される。また、皮膚に潤いを与える美容的な効果も期待できる。
【０１５９】
中医学でいう「肺」は、呼吸を司り、気を司る粛降を主るとされ、呼吸機能と関係があり、又、血液循環や水液代謝とも関係を有する。通調水道の作用があり、水液を分散して全身に行きわたらせ、特に皮膚に達して汗孔から排出する。また、水液を膀胱に運びおろして排泄する作用がある。皮膚と汗腺、うぶ毛などの組織とも関係があり、汗液を分泌し、皮膚を潤沢にし外邪を防御するなどの機能を有している。皮膚呼吸や体温調節とも関係する。肺は呼吸を司るため、鼻とも関連し、咽喉部とも関係を有する。肺の病変は、直ちに鼻に影響しやすく、鼻づまり、嗅覚異常を起こし、咽や音声の異常や咳嗽、呼吸困難を招く場合がある。また、肺の機能が減退すると、感冒や自汗、盗汗などを起こしやすい。さらに、肺が不調になると、浮腫、排尿困難、無汗などをきたす。肺の精神作用は、魄であり、知に関係すると言われている。
【０１６０】
この「平調」の音叉セット１1〜１12は、骨格調整に顕著な効果を発揮することが期待される。春になると花々が咲き、枝葉は成長し、秋になると葉を落とし、実を付け、次の１年の準備に入る。人間の体も季節の変化の影響を受け、春になると成長期に入り、髪も伸び易くなり、成長に必要な栄養を十分摂取するため、人体の骨盤は開き、飲食を十分行える状態とする。秋は冬の内蔵・収斂に備え、骨盤は閉じ、冬の体の準備に入る。このため、春は骨盤が開く時期、秋は骨盤が閉じる時期となり、仙腸関節に負担が掛かり、腰痛や俗にいうギックリ腰が起こり易い時期となる。
【０１６１】
仙骨と後頭骨とは、呼吸と共にシーソーの如くバランス運動をし、脳脊髄液を循環させ、神経を栄養する。また、その生理的関係により春も秋も頭蓋骨の変形による頭痛、及び頚の違和感を訴える患者が多くみられる。これは、頭部に頚の筋肉が連絡しているため、骨盤が開閉し、頭蓋骨の圧力が変わることにより、頚の筋肉が引っ張られ、偏ることが原因の１つであると考えられる。
【０１６２】
頸椎上部の環軸関節は、頭部の回旋運動に関係がある他、全体的な体の捻じれを発生させる原因ともなり、頚筋、頸椎の変位による左右の下肢長の長さにも影響を及ぼす。夏に冷たい物を沢山採り、体を冷やし過ぎると、背骨を支える筋肉の働きが弱まり、背骨の配列が歪み、筋肉が引っ張られ、骨盤の変位が発生する。骨盤が捻じれている場合は、両下肢の長さが異なり、片方の下肢、下腿がＯ脚になる。このような様々な体の歪みを有したままの状態で、９月中旬〜１０月中旬頃の秋の季節になると、骨盤が閉まるため、腰痛、坐骨神経痛、アキレス腱痛、頭痛、足首の捻挫、足趾、踵の異常を訴える患者が増える。
【０１６３】
「平調」の音叉セッ１1〜１12のうち、振動数が４０９６Ｈｚである物理調Ｃ5の第１１の音叉１11は、膝、腰、肋骨、鎖骨、肩、顎、眼窩、乳様突起、肩甲骨、額の各部位の高さの歪んだ傾きを調整する上で効果が期待できる。
【０１６４】
前頭骨には、両下肢の長さを整える反射区があるため、この振動数が４０９６Ｈｚである物理調Ｃ5の第１１の音叉１11を前頭骨付近で音叉を打ち鳴らし、額に響かせることにより、一瞬のうちに姿勢反射も改善され、骨格を正常な位置に戻し、整える上で効果が得られる。
【０１６５】
また、肺は呼吸と関係があり、呼吸運動を調整することで、横隔膜の働きや動きにより息が深く入るようになる。息が深く入ることによって、気が下がり、精神も安定し、根気も続くようになる。又、酸素を沢山体内に取り入れることができるため、細胞の活性化に繋がり、酸素の欠乏状態が改善される。その結果、皮膚は白くなり、潤い、疲労しにくくなると共に、免疫機能が上がり、病気に罹りにくくなり、病気を治癒する力も生まれる。また、骨盤の高さ、下肢長が安定することによって、骨盤内の疾患、膀胱炎、大腸炎、便秘、生理不順、生理痛が改善され、腎臓の働きも活発になり、排尿の作用も活発となり、体の浮腫みも取れる傾向にある。また、酸欠が改善されるため、脳に酸素が取り込まれ、脳の中でも認知症の発症に関係が深い、前頭前野や海馬の血流が増し、脳内のアミロイド斑（老人斑）の量が少なくなり、アルツハイマー型認知症の予防にも効果的である。
【０１６６】
この「平調」の１２本の音叉セット１1〜１12を使用すると、体の収斂作用にも繋がり、骨格が重心線の上に載り、姿勢が美しくなる。また、骨盤、胸郭、頭蓋骨が正常な位置に戻り閉まるため、体がふら付かないようになる。さらに、皮膚呼吸、呼吸運動が正常に戻り、酸素の欠乏状態が改善し、免疫能力、生命力を高める効果が期待できる。
【０１６７】
足の反射区には、振動数が４０．８Ｈｚである「平調」の第１の音叉１1を使用し、呼吸器には、振動数が１３０４．８Ｈｚである「平調」の第８の音叉１8を使用する。また、手の反射区には、振動数が２０４８Ｈｚである物理調Ｃ4の第９の音叉１9を使用し、耳の反射区には、振動数が２６０９．６Ｈｚである「平調」の第１０の音叉１10、及び振動数が４０９６Ｈｚである「平調」の第１１の音叉１11、顎関節炎には、振動数が２６０９．６Ｈｚである「平調」の第１０の音叉１10、及び振動数が４０９６Ｈｚである「平調」の第１１の音叉１11をそれぞれ使用する。
【０１６８】
また、全身の骨格調整は、振動数が４０９６Ｈｚである「平調」の第１１の音叉１11を額の高さで鳴り響かせることにより行い、延髄の調整は、同じく振動数が４０９６Ｈｚである物理調Ｃの第１１の音叉１11、及び振動数が５２１９．２Ｈｚである「平調」の第１２の音叉１12を使用する。
【０１６９】
「平調」は、音の高さでいうとＥ（ミ）に相当し、物理調Ｃは（ド）の音の高さであるため、この２つのグループの音叉は調和する。
【０１７０】
また、「盤渉調（ばんしきちょう）」の１２本の音叉セット１1〜１12は、中医学でいう五臓のうち、「腎」の治療・調整を主目的としたものであり、「盤渉調（ばんしきちょう）」と「下無調（しもむちょう）」の２種類のグループの音叉から構成されている。
【０１７１】
中医学でいう「腎」は、脳、髄、骨、関節、髪、歯、全身の水液代謝、排尿、生殖器、耳、呼吸、副腎や性腺からの性ホルモン、脳下垂体からの成長ホルモン、カルシウムを始めとする電界質代謝の調節、腎臓の機能に関係すると考えられている。
【０１７２】
そのため、「盤渉調」を基本とする音叉セット１1〜１12は、脳、髄、骨、関節、髪、歯に対する治療効果が期待でき、横隔膜の呼吸運動をも改善するため呼吸が深くなり、酸素の欠乏状態が改善され、細胞が活性化することにより、免疫機能が増進する。また、顎関節炎にも治療効果が見られるため、唾液線の分泌も促進する。又、仙骨と後頭骨の運動も促進され、脳脊髄液の流れが良好となり、神経系や水分代謝にも効果を有する。特に、人体では、腰から下肢にわたる下半身の調整に大変効果が期待でき、筋肉を柔軟にする作用を有することは勿論のこと、両下腿（両膝下）、両足の浮腫みを改善し、リンパの流れを良好にさせる働きを有する。
【０１７３】
又、「盤渉調」の音の高さは、前述したように、日本人の新生児の産声の高さに近いとも言われており、「盤渉調」の音叉１の音を聞くことにより、心が洗われて聴覚や聴力が胎児だった頃の純粋な状態に近づき、生きる原点にも立ち返らせ、生命力を湧き立たせる心の回復効果も期待できる。
【０１７４】
なお、「盤渉調」の音の高さは、Ｈ（シ）であり、「下無調」はＦ#であり、「盤渉調」と「下無調」とは調和する。
【０１７５】
実施例３
５０代前半の女性である患者Ｃは、２年程前、静岡県から四国の徳島県の１０階建マンションの９階へ転居して以来、季節に関係なく体調を崩すようになった。
【０１７６】
患者Ｃは、「四国の水が体に合わない」と言い、又、瀬戸内海からのカーフェリーのディーゼル臭がマンションの窓から入り、非常に臭くてストレスを感じしていること、更に、マンションの屋上に取り付けられた避雷針が瀬戸内海から吹く風で振動して一日中鳴り続け、その音がとてもうるさくストレスを感じるとの訴えがあった。
【０１７７】
また、患者Ｃの体は、その傾きが各部位で区々であり、互いに逆方向に傾き、上半身と下半身は捻じれた状態であった。
【０１７８】
そこで、本発明者は、夏に対応した「黄鐘調（おうしきちょう）」の１２本の音叉セット１1〜１12を、鍼治療と組み合わせて使用し、人体の各部位に合った振動数の１２本の音叉１1〜１12を選択して振動させ、空気振動のみで使用した。
【０１７９】
「黄鐘調」の音叉セット１1〜１12を使用した理由は、季節が夏であったこと、及び「心」の状態に関わる症状も見られたため、中医学の五臓のうち、「心」に対応した「黄鐘調」を選択したものである。軽擦を中心としたスポーツマッサージを施し、全身の骨格を調整した後、体中の力を引き出し、内臓の働きのバランスを整えるため、全身に１５本程の鍼治療を施した。置鍼した状態で「黄鐘調」の音叉１1〜１12のうち、人体の各部位に有効な周波数の音叉を選択して打ち鳴らし、鍼の竜頭への接触振動刺激ではなく、鍼に音叉を近付ける空気振動のみの刺激とした。
【０１８０】
夏は、日の高さや長さが大きく変化するため、人間の体内時計等、体のリズムを整える必要がある。朝は日光を見て目に光を入れ、体に日光を浴びることにより、視床下部の働きにより体のリズムを整える働きがリセットされ、１日の活動を開始させる。
【０１８１】
夏に対応した「黄鐘調」の音叉セットは、心臓の働きと、内分泌、ホルモン、目、視、体内リズムの回復、強化に有効であると考えられる。脳下垂体や成長ホルモンの分泌にも働きかけて、免疫、細胞の修復、肥満予防に効果が期待できる。
【０１８２】
脳梗塞は、夏に多くみられる。その原因の１つとして心臓の不整脈から血管の血栓が脳へ移動して発症すると考えられることから、夏は血液中の水分のバランスに注意する必要がある。
【０１８３】
夏の「黄鐘調」の音叉セットは、心臓神経症等の心療内科系の疾患での不整脈に効果があり、心臓のリズムを安定させ、脳血管障害への予防効果も期待できる。
【０１８４】
実施例４
４７才の女性である患者Ｄは、既往症として先天性の股関節脱臼を患っている。２４才のときにアレルギー性紫斑病に罹り通院していたが、環境を変えたこともあり、３０代で完治した。また、車の運転中に後方からの追突事故を３回経験し、初回は３カ月の入院を余儀なくされた。
【０１８５】
その後、頸椎ムチウチ症の後遺症と追突の衝撃による腰痛に悩まされ、雨が降る前や台風が接近し、気圧が変化するときに頭痛を発症するようになった。また、頸椎ムチウチ症のため、頸椎、腰椎の配列が体が疲労すると悪くなり、仙腸関節のズレや頭蓋骨の圧力が不調となり、頭痛、腰痛を発症した。また、胸鎖乳突筋の上部を負傷したため、ストレスを感じると筋肉が緊張し、胸鎖乳突筋が収縮し、反対側に顔を廻し、斜め上方を向く傾向が見られた。このため、顎が曲がり、目の高さは右目が下がり、左目が上がって顔が歪むようになっていた。また、頚の旋回は、全体的に体の捻じれを発生させるため、両下肢長の違いや股関節に負担を掛ける立ち方となり、Ｏ脚になっていた。
【０１８６】
この患者Ｄに敢えて胸鎖乳突筋部、顔面部への鍼治療は施さず、うつぶせにした状態で下肢、腰、肩背部、頚にスポーツマッサージを施した後、中国鍼３４番鍼（細い鍼）を置鍼し、秋に対応した「平調」の１２本の音叉セット１1〜１12を、各周波数が有効な部位へそれぞれ打ち鳴らす方法で、鍼の竜頭へ空気振動刺激を試みた。
【０１８７】
次に、患者Ｄを仰向けにして同様に下肢、腹部、上肢に中国鍼３４番鍼を打ち、置鍼した。そして、「平調」の１２本の音叉セット１1〜１12を、各周波数が有効な部位へそれぞれ打ち鳴らす方法で、鍼の竜頭へ空気振動刺激を試みた。
【０１８８】
その際、胸鎖乳突筋部には、振動数が２０４８Ｈｚである「平調」の第９の音叉１9を鎖骨付近へ、乳様突起や胸鎖乳突筋上部に振動数が２６０９．６Ｈｚである「平調」の第１０の音叉１10をそれぞれ打ち鳴らし、その柄の底を軽く患部に押し当てて振動刺激を試みた。
【０１８９】
また、振動数が４０９６Ｈｚである「平調」の第１１の音叉１11を額の高さで打ち鳴らすとともに、振動数が５２１９．２Ｈｚである「平調」の第１２の音叉１12を頭上の高さで打ち鳴らした。
【０１９０】
その結果、鍼を頚前面、胸鎖乳突筋上部に打っていないにも関わらず、頚の筋肉が全体的に緩み、特に頚の前面、及び胸鎖乳突筋部が一瞬のうちに緩み、顎がまっすぐとなり、左右の目の高さが同じ高さとなった。体の捻じれや顔の歪みが改善されたことで、股関節の負担が軽減され、下肢の片足のＯ脚が改善された。また、顔面の骨格が改善されたことにより、頭蓋骨の圧力も改善され、頭痛が解消した。振動数が４０９６Ｈｚである「平調」の第１１の音叉１11は、延髄、骨格矯正にとても効果を発揮し、体全体を調整し、頭蓋骨と骨盤、肋骨を正規の位置に戻し、体の骨格を重心線に近付ける作用があるため、体が収斂し締まることになる。又、気血のめぐりが改善されたため、肌が潤い、皮膚が艶やかになり、顔面の豊麗線も消えた。この患者Ｄに冬・春・夏の音叉をそれぞれの季節に使用したが、「平調」の音叉セットを使用した場合に、左右の目の高さが略等しくなる効果が認められた。
【０１９１】
実施例５
５７才の女性である患者Ｅは、乳癌を克服し、現在はケアマネージャーとして働いたが、膀胱炎を発症し何度も再発するようになった。また、患者Ｅは、強いストレスを感じ、体全体が上半身と下半身で大きく捻じれ、膀胱に負担が掛かり、背骨の配列も悪かった。
【０１９２】
この患者Ｅに秋に対応した「平調」の音叉セット１1〜１12を鍼治療と組み合わせて治療を行ったところ、体の傾きの悪さが改善し、顎がまっすぐになり、骨格も整った。体の捻じれが取れ、膀胱に負担がかからなくなったことと、腎臓の位置及び骨盤の高さが整ったことから安定したためか、膀胱炎も治癒した。１回の治療によって上述した効果が得られた。更に、顔面の豊麗線が目立たなくなり、皮膚に光沢が出て、肌が綺麗になった。
【０１９３】
実施例６
６０才の男性である患者Ｆは、食品会社に勤務し、営業で全国を飛行機、新幹線、車等で移動する生活が続いていた。患者Ｆは、呼吸器が弱く、またストレスからか疲労すると両手の握力が極端に弱くなり、握ったペンを時々落とすこともあった。肩の三角筋の緊張のため、左肩が上がりにくく、様々な治療やマッサージを受けたが改善せず、却って全身の筋肉がとてもかたく、特に、体の後背部、腰部、肩背部、頚が固まった状態で柔軟性が欠如していた。
【０１９４】
そこで、本発明者は、音叉治療を冬、春、夏、秋の音叉セットを使用して開始し、特に冬の「盤渉調」の音叉セット１1〜１12を使用したことにより、腰、下肢の疲労が取れ、骨格も安定し、筋肉が柔らかくなった。また、春の「双調」の音叉セット１1〜１12を使用することにより、特に頚、肩背部の筋肉が柔らかくなり、握力は改善され、体の柔軟性が戻ってきた。また、頸椎の配列に改善が見られた。夏の「黄鐘調」の音叉セット１1〜１12を使用した場合には、体がしっかりとして筋肉も柔らかくなり、更に改善がみられた。また、夏の音叉セット１には、癒し効果があったせいか、患者は音叉治療中に熟睡していた。さらに、秋の「平調」の音叉セット１1〜１12を使用した場合には、骨格が安定して骨盤、頭蓋骨、肋骨が収斂して重心線に乗り、横隔膜の運動も活発となり、呼吸運動も楽になった。又、皮膚呼吸も良好となり、皮膚に光沢が出て肌に潤いが見られた。
【０１９５】
実施例７
４１才の男性である患者Ｇは、加圧トレーニングのオーナー兼トレーナーとしてスポーツジムの経営をしながら、自らのトレーニング法に加圧トレーニングを取り入れたトレーニングを行っている。患者Ｇは、腰痛と右肩痛の訴えがあり、所見では矢状縫合や椎骨の配列に変位が見られ、頭蓋骨の圧力の失調と仙腸関節のズレ（歪み）があり、肺や大腸、腎機能にも負担がかかっていた。又、右目の瞳の位置が右斜め上方に上がり、眼球の動きにも不自然な点が見受けられた。
【０１９６】
患者Ｇに対しては、「黄鐘調」の音叉セット１1〜１12を用い、音叉１による振動刺激は、患者の部位に音叉を近付けて接触させない空気振動刺激、及び振動させた音叉１の先端をつぼに軽く押し当てる接触振動刺激と、つぼに鍼を打って置鍼した後、鍼の竜頭に振動させた音叉１を軽く接触させる振動刺激と、置鍼した鍼に振動させた音叉１を接触させない空気振動刺激とを併用することにより、経絡やホルモンバランスの調整を行った。
【０１９７】
更に説明すると、患者Ｇには、スポーツマッサージを全身に施した後、必要な部位に鍼を打ち、置鍼した鍼に振動させた音叉を近付ける方法で「黄鐘調」の音叉１1〜１12を使用した結果、左右の瞳は正中に戻り、矢状縫合も安定し、椎骨の配列や頭蓋骨の圧力、仙腸関節の歪みも改善された。
【０１９８】
実施例８
６４才の男性である患者Ｈは、高校の数学の教師をしており、９年程前に心臓の手術を行い、その後回復したが、１年程前から疲労すると下腿のむくみが顕著となるとともに、下腿の皮膚が冬の時期に乾燥して粉状に飛散するような症状が見られた。
【０１９９】
患者Ｈに対しては、冬の時期に「盤渉調」の音叉セット１1〜１12を用いて治療を行ったところ、下腿のむくみが解消され、代謝が良好となった。
【０２００】
今年の秋に自転車で転倒して右膝内側を強打し、打撲した箇所にはかなり顕著な腫れが見られた。
【０２０１】
まず、全身に軽擦を中心としたスポーツマッサージを施し、仙腸関節を矯正して後頭骨とのバランスを改善し呼吸運動を活発にさせた後に鍼を打ち、全身及び打撲して炎症のある右膝内側に置鍼した。打撲した箇所の腫れが顕著であったため、置鍼した鍼の竜頭に振動数が１６３．１Ｈｚである「平調」の第３の音叉１3を振動させた状態で接触させ、振動刺激を行い、他の箇所には、身体の各部位に対応した「平調」の音叉１を打ち鳴らし、空気振動刺激を行った。
【０２０２】
その結果、打撲により腫れていた右膝内側の部位の腫れが改善し、左足と同程度まで回復した。また、下腿の皮膚も潤いが戻り乾燥が改善した。
【０２０３】
その他の構成及び作用は、前記実施の形態１と同様であるのでその説明を省略する。
【０２０４】
実施の形態３
この実施の形態３では、民族に固有の音階の少なくとも１つの音程として、中国音階の五音に対応したものを採用している。
【０２０５】
すなわち、この実施の形態３では、春に対応した「双調（そうぢょう）」の基本周波数である振動数３９１．５Ｈｚの音叉１が中国音階の「角（かく）」に、夏に対応した「黄鐘調（おうしきちょう）」の基本周波数である振動数４３７．０Ｈｚａの音叉１が中国音階の「徴（ち）」に、土用に対応した「壱越調（いちこつちょう）」の基本周波数である振動数が２９２．７Ｈｚの音叉が中国音階の「宮（きゅう）」に、秋に対応した「平調（ひょうぢょう）」の基本周波数である振動数３２６．２Ｈｚの音叉が中国音階の「商（しょう）」に、冬に対応した「盤渉調」の基本周波数である振動数４９１．５Ｈｚの音叉が中国音階の「羽（う）」にそれぞれ対応した５本の音叉で１セットを構成している。
【０２０６】
このように、春・夏・土用・秋・冬の各季節による治療・予防に加えて、五行説の五臓、経絡を調律・調整する「五音」セットの６通り、６種類の使い方が可能な治療用・美容用の音叉セットともなる。
【０２０７】
その他の構成及び作用は、前記実施の形態１と同様であるのでその説明を省略する。
【０２０８】
実施の形態４
この実施の形態４に係る音叉型治療器としての音叉は、美容器としても使用されるものである。美顔（フェイスリフト、豊麗線、シワ、肌のくすみ、たるみ等）、小顔矯正、小頭矯正などを目的に使用する場合には、次のようにして、音叉型美容器として使用される。
【０２０９】
顔面部、顎、乳様突起周囲、後頭骨、耳の反射区には、振動数が３９３２Ｈｚである「盤渉調」の第１０の音叉１10を使用し、眼窩、目の周囲、太陽穴、額部への反射区には、振動数が５８５１．２Ｈｚである「下無調」の第１１の音叉１11を使用する。振動させた音叉１の把持部３の先端３ａを、顔面部や顎など美容の目的とする部位、及び耳、額、後頭骨、顔面や乳様突起周囲などへ軽く押し当て振動刺激を行う。
【０２１０】
また、顔面部や乳様突起周囲へ美容鍼を施す際には、浅めに鍼を打って置鍼し、振動している振動数が３９３２Ｈｚである「盤渉調」の第１０の音叉１10や、振動数が５８５１．２Ｈｚである「下無調」の第１１の音叉１11を鍼に近付けることにより、空気振動刺激を行う。顔面や額、頭部は、僅かな傷でも大量に出血する虞れがあるため、鍼の竜頭に振動させた音叉１を直接接触させることは好ましくない。
【０２１１】
さらに、美容目的で振動させた音叉１の把持部３の先端３ａを顔面部や顎など美容の目的とする部位に接触させる場合には、軽く皮膚に押し当てる程度とし、音叉１の先端３ａを顔面部等の部位に押し当てた状態で移動させることは、皮膚や浅筋膜を損傷する虞れがあるため避ける必要がある。
【０２１２】
振動数が５８５１．２Ｈｚである「下無調」の第１１の音叉１11は、髪の毛に艶を出す効果が得られる。その際、振動数が５８５１．２Ｈｚである「下無調」の第１１の音叉１11、及び振動数が７８６４Ｈｚである「盤渉調」の第１２の音叉１12を、振動させた状態で頭部の百会穴に接触させることによって使用する。百会穴は、督脈にあるツボであり、「百」とは、経脈の数が多いことを意味し、「会」とは、その気血流注が集まるという意味で、頭部の中央にあり、頭部の陽気が集まることから名づけられ、病気の治療や背骨の配列を整えたり、腰や大腸の働きにも関与している。
【０２１３】
また、振動数が３９３２Ｈｚである「盤渉調」の第１０の音叉１10、振動数が５８５１．２Ｈｚである「下無調」の第１１の音叉１11、及び振動数が７８６４Ｈｚである「盤渉調」の第１２の音叉１12を用いて、顔面や頭部に空気振動刺激、把持部３の先端３ａによる接触振動刺激を行うことによって、顔面や頭部にある１５種類２３個の骨が振動刺激により移動し、本来の位置からずれた位置にあった骨や関節が自ら正常な位置へと移動する。
【０２１４】
その結果、顔面や頭部の骨格が整い、リンパの流れや、顔面、頭部の筋肉の動きも良好となり、皮膚の働きも改善させ、シワが解消されたり、酸欠の改善となり、肌のくすみやたるみ、或いは豊麗線も目立たなくなり、浮腫みも改善し、フェイスリフト、小顔や小頭となる効果が期待される。顔面の骨の噛み合わせが悪い場合には、皮膚の下部に微小な窪みが形成され、皮膚にシワができる原因となる。
【０２１５】
さらに、顔面部や顎の骨格矯正は、頭部の頭蓋骨の圧力調整や脳の働き（脳内ホルモンの分泌）とも関係するため、振動数が３９３２Ｈｚである「盤渉調」の第１０の音叉１10、振動数が５８５１．２Ｈｚである「下無調」の第１１の音叉１11、及び振動数が７８６４Ｈｚである「盤渉調」の第１２の音叉１12を使用することによって効果が増す。
【０２１６】
また、この実施の形態に係る音叉型美容器として「双調」の音叉セットを使用する場合には、振動数が３１３２Ｈｚである「双調」の第１１の音叉１11を、顔面部、顎、乳様突起周囲、耳に、振動数が６２６４Ｈｚである「双調」の第１２の音叉１12を、顔面部、額、頭部にそれぞれ使用する。
【０２１７】
さらに、この実施の形態に係る音叉型美容器として「黄鐘調」の音叉セットを使用する場合には、振動数が３４９６Ｈｚである「黄鐘調」の第１１の音叉１11を顔面部、顎、乳様突起周囲、耳、後頭骨に、振動数が６９９２Ｈｚである「双調」の第１２の音叉１12を顔面部、額、頭部にそれぞれ使用する。
【０２１８】
又、この実施の形態に係る音叉型美容器として「壱越調」の音叉セットを使用する場合には、振動数が４６８３．２Ｈｚである「壱越調」の第１１の音叉１11を、顔面部、顎、乳様突起周囲、耳、後頭骨に、振動数が６０００Ｈｚであるトマティス理論の第１２の音叉１12を、顔面部、額、頭部にそれぞれ美容目的で使用する。
【０２１９】
更に、この実施の形態に係る音叉型美容器として「平調」の音叉セットを使用する場合には、振動数が４０９６Ｈｚである物理調Ｃ5の第１１の音叉１11を、顔面部、顎、乳様突起周囲、耳、後頭骨に、振動数が５２１９．２Ｈｚである「平調」の第１２の音叉１12を、顔面部、額、頭部にそれぞれ美容目的で使用する。
【０２２０】
また、この実施の形態４に係る音叉型美容器としての音叉は、人体の部分的な痩身効果を得るためにも使用可能である。膝下や下腿の浮腫みには、冬に対応した「盤渉調」の音叉セットを使用する場合、振動数が３０．７Ｈｚである「盤渉調」の第１の音叉１1を足に、振動数が６１．４Ｈｚである「盤渉調」の第２の音叉１2を下腿に、振動数が１２２．９Ｈｚである「盤渉調」の第３の音叉１3を膝周囲に、それぞれ振動させた状態で近付けて求心性に空気振動刺激、又は振動させた音叉１の把持部３を皮膚に軽く接触させて求心性に擦上を繰り返す振動刺激が安全で効果的である。
【０２２１】
また、春に対応した「双調」の音叉セットを使用する場合、振動数が２４．５Ｈｚである「双調」の第１の音叉１1を足に、振動数が４８．９Ｈｚである「双調」の第２の音叉１2と、振動数が９７．９Ｈｚである「双調」の第３の音叉１3とを下腿に、振動数が１９５．８Ｈｚである「双調」の第４の音叉１4を大腿部に用いると効果的である。なお、音叉の使用方法は、「盤渉調」の音叉と同様である。
【０２２２】
さらに、夏に対応した「黄鐘調」の音叉セットを使用する場合、振動数が２７．３Ｈｚである「黄鐘調」の第１の音叉１1を足に、振動数が５４．６Ｈｚである「黄鐘調」の第２の音叉１2と、振動数が１０９．３Ｈｚである「黄鐘調」の第３の音叉１3とを下腿に用いると効果的である。なお、音叉の使用方法は、「盤渉調」の音叉と同様である。
【０２２３】
又、土用に対応した「壱越調」の音叉セットを使用する場合、振動数が３６．６Ｈｚである「壱越調」の第１の音叉１1を足に、振動数が７３．２Ｈｚである「壱越調」の第２の音叉１2を下腿に、振動数が１４６．４Ｈｚである「壱越調」の第３の音叉１3を膝周囲に用いると効果的である。なお、音叉の使用方法は、「盤渉調」の音叉と同様である。
【０２２４】
更に、秋に対応した「平調」の音叉セットを使用する場合、振動数が４０．８Ｈｚである「平調」の第１の音叉１1を足に、振動数が８１．６Ｈｚである「平調」の第２の音叉１2を下腿に、振動数が１６３．１Ｈｚである「平調」の第３の音叉１3を大腿部に用いると効果的である。なお、音叉の使用方法は、「盤渉調」の音叉と同様である。
【０２２５】
さらに、人体の部分的な痩身効果のうち、ヒップアップ効果や臀部に脂肪が付き難くする効果として、「盤渉調」の音叉セットを使用する場合、振動数が２４５．８Ｈｚである「盤渉調」の第４の音叉１4を臀部に、振動数が４９１．５Ｈｚである「盤渉調」の第５の音叉１5を臀部と腰部に、「双調」の音叉セットを使用する場合、振動数が１９５．８Ｈｚである「双調」の第４の音叉１4を大腿上部に、振動数が３９１．５Ｈｚである「双調」の第５の音叉１5を臀部に、振動数が５２８Ｈｚであるａ４４０のときの純正律Ｃである第６の音叉１6を臀部及び腰部に、「黄鐘調」の音叉セットを使用する場合、振動数が２１８．５Ｈｚである「黄鐘調」の第４の音叉１4を臀部に、振動数が４３７Ｈｚである「黄鐘調」の第５の音叉１5を臀部に、振動数が６６０Ｈｚであるピタゴラス調ｅ2の第６の音叉１6を腰部に、「壱越調」の音叉セットを使用する場合、振動数が２９２．７Ｈｚである「壱越調」の第４の音叉１4を臀部に、振動数が５８５．４Ｈｚである「壱越調」の第５の音叉１5を腰部に、「平調」の音叉セットを使用する場合、振動数が３２６．２Ｈｚである「平調」の第４の音叉１4を臀部に、振動数が５１２Ｈｚである物理調Ｃ2の第５の音叉１5を腰部にそれぞれ使用する。
【０２２６】
音叉１の使用方法としては、振動させた音叉１を目的とする部位へ近付けて求心性に向って上下に移動させる空気振動刺激、振動させた音叉１の把持部３の先端３ａを目的とする部位に軽く押し当てる振動刺激、又、鍼を打ち、置鍼した鍼の竜頭に振動させた音叉を接触させて振動刺激を行うか、接触させずに空気振動刺激を行う方法が挙げられる。
【０２２７】
又、人体の部分的な痩身効果のうち、腹部への部分的な痩身効果として、「盤渉調」の音叉セットを使用する場合、振動数が２４５．８Ｈｚである「盤渉調」の第４の音叉１4を下腹部に、振動数が４９１．５Ｈｚである「盤渉調」の第５の音叉１5をへそ周りに、
振動数が７３１．４Ｈｚである「下無調」の第６の音叉１6を上腹部に、「双調」の音叉セットを使用する場合、振動数が３９１．５Ｈｚである「双調」の第５の音叉１5を下腹部に、振動数が５２８Ｈｚであるａ４４０のときの純正律Ｃの第６の音叉１6をへそ周りに、振動数が７８３Ｈｚである「双調」の第７の音叉１7を上腹部に、「黄鐘調」の音叉セットを使用する場合、振動数が２１８．５Ｈｚである「黄鐘調」の第４の音叉１4を下腹部に、振動数が４３７Ｈｚである「黄鐘調」の第５の音叉１5をへそ周りに、振動数が６６０Ｈｚであるピタゴラス調ｅ2の第６の音叉１6を上腹部に、「壱越調」の音叉セットを使用する場合、振動数が２９２．７Ｈｚである「壱越調」の第４の音叉１4を下腹部に、振動数が５８５．４Ｈｚである「壱越調」の第５の音叉１5をへそ周りに、振動数が１０００Ｈｚであるトマティス理論の第６の音叉１6を上腹部に、「平調」の音叉セットを使用する場合、振動数が３２６．２Ｈｚである「平調」の第４の音叉１4を下腹部に、振動数が５１２Ｈｚである物理調Ｃ2の第５の音叉１5をへそ周りに、振動数が６５２．４Ｈｚである「平調」の第６の音叉１6を上腹部にそれぞれ使用する。尚、音叉の使用方法は、臀部への使用方法と同様である。
【０２２８】
又、人体への美容効果のうち、バストアップ効果としては、「盤渉調」の音叉セットを使用する場合、振動数が９８３Ｈｚである「盤渉調」の第７の音叉１7をアンダーバストに、振動数が１９６６Ｈｚである「盤渉調」の第８の音叉１8を大胸筋部に、「双調」の音叉セットを使用する場合、振動数が１０５６Ｈｚであるａ４４０のときの純正律Ｃの第８の音叉１8をアンダーバストに、振動数が１５６６Ｈｚである「双調」の第９の音叉１9を大胸筋部に、「黄鐘調」の音叉セットを使用する場合、振動数が１３２０Ｈｚであるピタゴラス調ｅ3の第８の音叉１8をアンダーバストに、振動数が１７４８Ｈｚである「黄鐘調」の第９の音叉１9を大胸筋部に、「壱越調」の音叉セットを使用する場合、振動数が１１７０．８Ｈｚである「壱越調」の第７の音叉１7をアンダーバストに、振動数が２０００Ｈｚであるトマティス理論の第８の音叉１8を大胸筋部に、「平調」の音叉セットを使用する場合、振動数が１０２４Ｈｚである物理調Ｃ3の第７の音叉１7をアンダーバストに、振動数が１３０４．８Ｈｚである「平調」の第８の音叉１8を大胸筋部にそれぞれ使用する。
【０２２９】
音叉１の使用方法としては、振動させた音叉１を目的とする部位へ近付けて、脇下に向かって円弧を描くように移動させる空気振動刺激、バストを引き上げるように鎖骨付近に向って上下に移動させる空気振動刺激、又は仰向けになり、鍼を打ち、置鍼した状態で鍼の竜頭に振動させた音叉を接触させずに空気振動刺激を行う方法が挙げられる。
【０２３０】
更に、人体への美容効果のうち、バストを大きくしたい場合は、前述した季節に対応した音叉をアンダーバストと大胸筋部に使用し、アロマテラピーで使用する精油のアーモンドオイルをバストに塗り、放置することにより行う。アーモンドオイルは比重が大きく、コーティング力が強いため、皮膚の動きを比較的止める作用があり、目標とするバストの運動率を低下させ、脂肪を蓄積し易くする効果がある。
【０２３１】
一方、人体への美容効果のうち、バストを小さくしたい場合は、バストにホホバオイルを塗り、前述した季節に対応した音叉をアンダーバストと大胸筋部に使用することで、ホホバオイルの体を温める作用により浸透したオイルによって脂肪が燃焼しやすくなり、バストを小さくする効果が得られる。また、腹部の痩身効果を得たい場合には、ホホバオイルを塗布してから音叉を使用すると効果的である。
【０２３２】
なお、前記実施の形態では、治療を受ける者又は美容・健康の維持増進を図る者が属する民族として日本民族である場合について説明したが、本発明は、治療を受ける者又は美容・健康の維持増進を図る者が属する民族が日本民族である場合に限定されるものではなく、日本人であっても沖縄県民であれば琉球音階、中国人であれば中国音階、インド人であれば印度音階、イタリア人であればイタリア音階など、世界各国の民族音階を適用すれば良いことは勿論である。
【符号の説明】
【０２３３】
１：音叉、２：振動部、３：把持部。
【図１】
0005517087.tif 000002
【図２】
0005517087.tif 000003
【図３】
0005517087.tif 000004
【図４】
0005517087.tif 000005
【図５】
0005517087.tif 000006
【図６】
0005517087.tif 000007
【図７】
0005517087.tif 000008
【図８】
0005517087.tif 000009
【図９】
0005517087.tif 000010
【図１０】
0005517087.tif 000011
【図１１】
0005517087.tif 000012
【図１２】
0005517087.tif 000013
【図１３】
0005517087.tif 000014
【図１４】
0005517087.tif 000015
【図１５】
0005517087.tif 000016
【図１６】
0005517087.tif 000017
【図１７】
0005517087.tif 000018
【図１８】
0005517087.tif 000019
【図１９】
0005517087.tif 000020
【図２０】
0005517087.tif 000021
【図２１】
0005517087.tif 000022
【図２２】
0005517087.tif 000023